(57)【要約】      （修正有）【課題】台所、洗面所、トイレ、その他室内の壁面、冷蔵庫の壁面、タイルの壁面等に垂直面、あるいは机の天板下面、乗用車の天井面等の水平面に物を吊り下げ固定するに当って、サイズを選ばず自由に繰り返し固定し、簡単に取り外し可能なホルダーの提供である。【解決手段】支持体７と、支持体７の一方の面のミクロ吸盤６と、剥離物４と、をこの順に具備したミクロ吸盤ラベル２を任意の形状に切断し、切断されたミクロ吸盤ラベル２の剥離物に複数の平行な抜き刃５ａ〜５ｈを入れ、抜き刃を入れた剥離物の背面の支持体７上に、接着媒体８、背面剥離紙９をこの順に具備したミクロ吸盤ラベルホルダー３を作成する。【選択図】図４
2006292158.tif 000002
【特許請求の範囲】
【請求項１】
支持体と、その一方の面に吊り下げ物の側面に吸着するミクロ吸盤と、をこの順に具備したミクロ吸盤ラベルを任意の形状に切断し、支持体の反対面に、任意の位置に、接着媒体と、背面剥離物と、をこの順に具備し、ミクロ吸盤ラベルの両端をミクロ吸盤が面合わせするように内側に折り畳んだミクロ吸盤ラベルホルダー。
【請求項２】
支持体と、支持体の一方の面に、吊り下げ物の側面に吸着するミクロ吸盤と、剥離物と、をこの順に具備したミクロ吸盤ラベルを任意の形状に切断し、切断されたミクロ吸盤ラベルの剥離物に複数の平行な抜き刃を任意の位置に入れ、抜き刃を入れた剥離物の背面の支持体に、任意の位置に、接着媒体と、背面剥離物と、をこの順に具備したミクロ吸盤ラベルホルダー。
【請求項３】
支持体と、その一方の面に、吊り下げ物の側面に吸着するミクロ吸盤と、剥離物と、をこの順に具備したミクロ吸盤ラベルを任意の形状に切断し、切断されたミクロ吸盤ラベルの剥離物に複数の平行な抜き刃を任意の位置に入れ、抜き刃を入れた剥離物の背面の支持体に、任意の位置に、ミクロ吸盤と、背面剥離物と、をこの順に具備した請求項２記載のミクロ吸盤ラベルホルダー。
【請求項４】
支持体と、その一方の面に、吊り下げ物の側面に吸着すミクロ吸盤と、剥離物を、この順に具備したミクロ吸盤ラベルを任意の形状に切断し、切断されたミクロ吸盤ラベルの剥離物に複数の平行な抜き刃を任意の位置に入れ、支持体の反対面の中央部に、マグネットシートを接着したマグネット付きミクロ吸盤ラベルホルダー。
【請求項５】
マグネットシートからなる支持体の一方の面に、ミクロ吸盤と、剥離物と、をこの順に具備したミクロ吸盤ラベルを任意の形状に切断し、剥離物に複数の平行な抜き刃を入れたマグネット付きミクロ吸盤ラベルホルダー。
【請求項６】
剥離物の任意の位置に複数の平行な抜き刃を入れ、任意の剥離物を除去した後、ミクロ吸盤面を面合わせするように内側に折り畳んだ請求項２、請求項３、請求項４記載、のミクロ吸盤ラベルホルダー。
【請求項７】
支持体と、その一方の面に、吊り下げ物の側面に自己粘着する自己粘着剤と、剥離物と、をこの順に具備した、請求項２、請求項３、請求項４、請求項５記載の自己粘着ラベルホルダー。
【請求項８】
支持体と、その一方の面に、吊り下げ物の側面に貼って剥がせる微弱粘着剤と、剥離物と、をこの順に具備した、請求項２、請求項３、請求項４、請求項５、記載の微弱粘着ラベルホルダー。
【発明の詳細な説明】
【技術分野】
【０００１】本発明は台所、洗面所、トイレ、その他室内の壁面、冷蔵庫の壁面、タイルの壁面あるいは机の天板下、天井等の水平面に物を吊り下げるに当たって、吊り下げ物を任意に繰り返し固定し、取り外しのできる治具ラベルに関する。吊り下げ物にはティッシュペーパー箱、キッチンペーパー箱、台所ラッピングフイルム箱の如く長方体紙製箱から、樹脂製箱、金属性箱、木製箱から、缶ビール等の円柱状の金属製缶等、の表面が平滑なものを対象とする。
【背景技術】
【０００２】吊り下げ物を壁面に固定するホルダーについては以下の多くの特許が出願されている。その多くがホルダーの固定手段として粘着剤、フック、マグネット、吸盤をホルダーに介在させて吊り下げ物を壁面に固定する方法を提案している。また多くの特許はティシュペーパー箱の壁面固定方法に関するもが多い。しかしながら何れの特許文献も、寸法、大きさが特定された箱型、例えばティシュペーパー箱、等の特定物に関するものである。以下の特許文献には吊り下げ物を壁面に固定する手段として、粘着剤、吸盤、マグネットを介在させた固定方法が多く開示されている。特に吸盤は柔らかい樹脂からなる円状で直径２〜５センチの吸盤を使用するものであって、被着体が粗面であったり、曲面であったり、吸盤の直径より小さい被着体であったりすると使えない欠点を持つ。本発明は直径が５〜１００ミクロンの凹状陥没穴を無数に有する微細なミクロ吸盤、及びゲル状樹脂からなる自己粘着剤、及び微細な球状物質を含む微弱粘着剤を、吊り下げ物の固定の媒体として使う。一方、室内の壁面、冷蔵庫、タイルの壁面、机の天板下の水平面、車両内部面との固定には接着媒体としてミクロ吸盤、粘着剤、マグネットを、固定用に応用するものである。
【特許文献１】特開２００４−２７２２２０７
【特許文献２】特開２００４−２８３５９８
【特許文献３】特開２００３−１１６７４３
【特許文献４】特開２００２−２６３０３１
【特許文献５】特開２００１−０７８９１９
【特許文献６】特開２０００−１０９０９２
【特許文献７】特開平１１−１３７４７５
【特許文献８】特開平９−２４８２３８
【特許文献９】特開平７−１０００８０
【特許文献１０】特開平７−１０００８０
【特許文献１１】特開平６−２１７８９３
【特許文献１２】特許広報平５−８１６１４号
【特許文献１３】登録実用新案第３０８９８７５号
【特許文献１４】登録実用新案第３０５４０８９号
【特許文献１５】登録実用新案第３０４０７５５号
【特許文献１６】登録実用新案第３０３８８８６号
【特許文献１７】登録実用新案第３０３１３１０号
【特許文献１８】登録実用新案第３００２８８０号
【発明の開示】
【発明が解決しようとする課題】
【０００３】発明が解決しようとする課題は、台所、洗面所、トイレ、その他室内の壁面、冷蔵庫の壁面、タイルの壁面あるいは机の天板下面、乗用車の天井面等の水平面に吊り下げ物を固定するに当って、繰り返し固定し、簡単に取り外しのできるホルダーの提供である。
【発明が解決する手段】
【０００４】上記目的を達成するためにミクロ吸盤ラベル２を吊り下げ物の固定に応用するものである。ミクロ吸盤とは、特許文献１２に開示されているが、アクリル酸エステル共重合体エマルジョン液に、整泡剤、増粘剤、起泡剤、硬化剤、顔料を一定の割合に混合して、機械的発泡機「オークスミキサー」を通して、加圧空気を送り込み、発泡倍率１．２倍〜３倍（発泡前の単位容積当たりの重量を発泡後の単位容積あたりの重量で除した数値）にして無数の微細気泡を含む泡沫状エマルジョン液をコンマコーターにて表面平滑なポリエステルフイルム上に塗布、乾燥して形成される５０〜１０００μ厚の発泡シートをいう。
【０００５】発泡シートは柔軟で弾性をもち、無数の微細凹状陥没穴を有するミクロ吸盤はその径より大きな径を持つ内部の気泡に連続し、該内部の気泡は他の気泡と細径管にて連続した構造を有する吸着性発泡シートである。塗布後のミクロ吸盤面上の凹状陥没穴は必ずしも真円ではなく、凹状陥没穴の長径は１００ミクロン以下で、平均的には５〜７０ミクロンの凹状陥没穴が個数で９５％を占め、単位面積あたり１〜９万個／ｃｍ２が形成されている。この微細で柔軟な凹状陥没穴が陰圧吸着力を発揮し、通気性のない平滑面であればどんなものでも良く吸着する。吸着力とは凹状陥没穴が被着体表面に圧着されると、凹状陥没穴と被着体表面によって形成される密閉空間が減圧状態となることにより発生する吸引力である。以上のように支持体７の上に塗工形成されたミクロ吸盤６は平滑面を有する被着体に対して繰り返し貼り付け・剥離が容易に出来る一方、吸着した平滑面に対して非常に高いせん断保持力を有する特性を持つ。一方、ミクロ吸盤面は長時間空気に晒すと、表面が微妙に変化して、吸着力が減少する難点を持つ。
【０００６】本発明は繰り返し脱着可能な吸着力と、高い保持力を有するミクロ吸盤を、吊り下げ物の固定に応用したミクロ吸盤ラベルホルダー３（３ａ，３ｂ、）に関する。あるいは貼ってはがせる粘着力と高い保持力を吊り下げ物の固定に応用した自己粘着ラベルホルダー、及び弱粘着ラベルホルダーに関する。
ミクロ吸盤ラベルホルダー３は吊り下げ物１の側面に吸着機能を持つミクロ吸盤ラベル２と、ミクロ吸盤ラベル２を壁面に接着固定させる接着媒体８からなる。ミクロ吸盤は表面平滑な、樹脂版、樹脂フイルム、コート紙、板紙、金属板、塗装された木製板、大理石面、タイルに良く吸着する。ミクロ吸盤は加圧して陰圧吸着が保たれる被着体に対して繰り返し貼り付け・剥離ができる一方、非常に高い保持力を有する。またミクロ吸盤は粘着剤の如くベトつくことも無く、被着体に糊残りを発生させることも無く、表面が汚れて吸着力が衰えても、水洗いすることによって吸着力が再生する特性を持つ。このミクロ吸盤の特性を吊り下げ物のホルダーに応用したのが本考案である。自己粘着ラベルホルダー、微弱粘着ラベルホルダーも前記ミクロ吸盤と類似機能を持つ。自己粘着ラベルの代表はフレックスフイルム（フジコピアン（株）製品の商標）である。支持体に３０μ程度のゲル状樹脂を極均一に塗布したラベルでガラス、アクリル板、キャストコート紙等の平滑面に対して接着する。樹脂はシリコーン樹脂、ポリオレフイン樹脂からなり適度な弾性と平滑面に対する良い濡れ性を持った透明な樹脂層である。微弱粘着ラベルの代表はポストイット（３Ｍ（株）商標）である。微弱粘着層は内部に直径１０μ以下の球状ゼラチンを含ませ、適度な弾性を保有した粘着剤である。
【発明の効果】
【０００７】本考案のミクロ吸盤ラベルホルダーを使用することにより、吊り下げ物の表面が平滑であるという制限は付くが、任意の大きさの吊り下げ物をその形状、重量に合わせて壁等の垂直面、天井面に吊り下げることができる。また容易に着、脱が可能であり繰り返し使える利点は大きくティシュペーパボックス、キッチンペーパーボックス、食品のラッピングフイルムボックス、カレンダー、ポスター、缶ビール、缶ジュース等を壁面、壁紙面、ガラス面、塗装木製板、板紙、タイル面、プラスティック面、鉄板塗装面、天然石面、冷蔵庫面、タイル面に固定し、着脱を繰り返すことが出来る。
【０００８】上記目的を達成するために図３の如く支持体７の一方の面に、ミクロ吸盤６と、剥離物４と、をこの順に具備したミクロ吸盤ラベル２を任意の形状に切断し、切断されたミクロ吸盤ラベル２の剥離物に複数の平行な抜き刃５ａ〜５ｈを入れ、抜き刃５ｂ〜５ｇを入れた中央部剥離物４ｃ〜４ｇの背面の支持体７に、粘着剤８ａ、背面剥離紙９をこの順に具備した図４のミクロ吸盤ラベルホルダー３である。ミクロ吸盤ラベル２の平面形状は図３の如く長方形であるが、任意の形状に切断し、円形、菱形、楕円、特別にデザインされた形状であっても良い。
【０００９】ミクロ吸盤ラベル２は図３のごとく支持体７、ミクロ吸盤６、剥離物４からなる。支持体７はミクロ吸盤６との密着性、接着性に優れ、適当に剛直な樹脂フイルム、例えば厚さ５０μ〜３００μの、ポリエステルフイルム、合成紙、硬質塩ビフイルム、アルミシート、厚紙類が良い。これらの支持体の表面には印刷が施されていても良い。あるいはこれらの支持体には粘着剤を介して印刷物を保護すべく透明粘着フイルムがオーバーラミされた複合支持体であっても良い。支持体は、図７の如く吊り下げ物の側面に沿って曲がる適当な厚さと、適度な可とう性、適度な剛直性は、吊り下げ物の形状、自重によって選ばれるのは言うまでもない。ミクロ吸盤ラベルホルダー３の使用される場所、に合わせて適宜支持体は選択される。
【００１０】ミクロ吸盤６は前述した通り吊り下げ物１の側面に吸着し、簡単に剥がれる機能を持つ。本考案に使用させるミクロ吸盤６の厚さは５０μ〜１０００μが適当である。５０μ以下になると急激に吸着力が減少する。１０００μ以上に厚くしても吸着力の増加は少なく経済的負荷が大きくなるだけである。ミクロ吸盤６は非常に柔らかいフイルム状で支持体に接合されてないと吊り下げ物の重さに耐えることは出来ない。このことからも適度な剛性を持つ支持体が必要になる。支持体にミクロ吸盤を密着させる方法は、アクリル酸エステル共重合体エマルジョンと密着性の良い支持体には直接塗布するのが良い。しかし密着性の悪い支持体、例えば紙類に対しては粘着剤を介してミクロ吸盤を支持体に接着させるのが良い。
【００１１】剥離物４の働きは、ミクロ吸盤面を保護してゴミ付着を防止し、また外気に長時間晒されることによる吸着力減少を防止する働きを持つ。剥離物４はミクロ吸盤６の吸着力によってミクロ吸盤の面に密着被覆されているが、容易に手剥がしが可能な表面平滑な２０ミクロンから１００ミクロン厚の樹脂フイルム、たとえばポリエステルフイルム、ポリエチレンフイルム、ポリプロピレンフイルム、あるいは表面平滑な剥離紙、例えば紙の両面にポリエチレン樹脂を溶融押し出し塗布した片面ポリラミ紙、両面ポリラミ紙、グラシン紙が良い。さらにこれらの表面にシリコーン等の剥離処理したものであれば更に良い。剥離物４の表面は平滑であることが必須であり、剥離物、例えば樹脂フイルムの平滑面がミクロ吸盤の表面の平滑性を決めることから、結果的にはミクロ吸盤の吸着力を決めるからである。
【発明を実施するための最良の形態】
【００１２】図１ａ，ｂ、図２ａ，ｂの如く吊り下げ物１はミクロ吸盤ラベルホルダー３ａ，３ｂ，によって被着体（壁面）２０に固定される機構を説明する。まず図４における剥離物４ｂ、４ｈを剥がして顔を出したミクロ吸盤面６ｂ，６ｈを吊り下げ物１の側面１ｂ，１ｈ、あるいは底面１ｅに圧着することで吸着力を働かせ吊り下げ物１は図７、図１０の如く固定される。
本考案は吊下げ物１のミクロ吸盤６面に対する吸着力を制御して着脱する方法として吊り下げ物１とミクロ吸盤６との吸着面積を増減させる方法を取る。図４の如く剥離物４を貫通する平行な抜き刃を入れ、４ａから４ｉの剥離物を任意に剥離して顔を出したミクロ吸盤６と吊り下げ物１の側面との吸着面積の増減を図り吊り下げ物１に対するミクロ吸盤６の吸着力を増減させる。例えば吊り下げ物１との吸着力を増大させるには４ａ〜４ｉの９枚全部の剥離物を剥ぎ取って吊り下げ物１の側面との吸着面積を増大させて、より強固に吸着させることが出来る。吊り下げ物１との吸着力を減少させるには４ａ〜４ｉの９枚の剥離物のうち４枚を任意に剥ぎ取って吊り下げ物１の側面に吸着させると、吸着面積は半減して、吊り下げ物１を固定する吸着力も半減する。自己粘着ラベルホルダー、微弱粘着ラベルホルダーにおいても前記ミクロ吸盤ラベルホルダーと同じ方法が適用できるのは言うまでもない。【００１３】支持体１の反対面、つまりミクロ吸盤６の形成されていない反対面には接着媒体８、例えば、粘着剤８ａ、ミクロ吸盤８ｂ、マグネットシート８ｃ等を具備させることによって、壁、天井、車内、の垂直面、水平面にミクロ吸盤ラベルホルダー３を固定することが出来る。粘着剤８ａにあっては支持体１の反対面、つまりミクロ吸盤６の形成されていない反対面に粘着剤８ａ、背面剥離物９をこの順に具備したミクロ吸盤ラベルホルダー３であって、粘着剤８ａの末端は支持体に接着せず図７の如く接着媒体べろ１３が形成されても良い。背面剥離物９を剥がして顔を出した粘着剤８ａにて室内の壁面、壁紙面、ガラス面、木製板、板紙、タイル面、プラスティック面、鉄板塗装面、天然石等に容易にミクロ吸盤ラベルホルダー３を接着固定させることが出来る。粘着剤８ａは中芯が樹脂フイルムからなる両面粘着テープでも良い。背面剥離物９には剥離物４と同様に複数の抜き刃をいれ、任意の枚数の剥離物を手剥がしすることで顔を出した粘着剤８ａの接着面積を変動させ、吊り下げ物の形状、重量にあわせてミクロ吸盤ラベルホルダー３の壁面に対する接着力を制御することが出来る。背面剥離物９はシリコーン樹脂等の剥離剤が塗布されたものが良い。
前記の粘着剤８ａの代わりにミクロ吸盤８ｂを代替使用した支持体７と、ミクロ吸盤８ｂ、と、背面剥離物９と、をこの順に具備したミクロ吸盤ラベルホルダー３では、被着体１はミクロ吸盤８ｂの吸着する表面平滑な被着体に制限されるが、背面剥離物９には、剥離物４と同様に複数の抜き刃をいれ、任意の枚数の剥離物を手剥がしすることで顔を出したミクロ吸盤の吸着面積を変動させ、表面平滑な、ガラス面、壁紙面、塗装木製板、タイル面、プラスティック面、鉄板塗装面、天然石、に吊り下げ物を固定することが出来る。ミクロ吸盤８ｂは中芯をもつ両面ミクロ吸盤であっても良い。ミクロ吸盤８ｂは被着体１に糊を残さず、容易に繰り返し貼って剥がせる特徴を持つ。前記の粘着剤８ａの代わりに支持体１と、マグネットシート８ｃとを、この順に具備したマグネット付ミクロ吸盤ラベルホルダー３では、被着体は鉄、冷蔵庫鉄板塗装面に制限されるが、これも良い接着媒体８である。このように接着媒体８に粘着剤、ミクロ吸盤、マグネットシートをミクロ吸盤ラベル２に組み合わせることでミクロ吸盤ラベルホルダー３の利便性をさらに広げることが出来る。【００１４】図５は剥離物４ｂ，４ｈを剥がしたミクロ吸盤ラベルホルダー３を被着体２０に固定した断面図である。剥離物４ｃ〜４ｇを残すことによって、その上から指で押さえても指を汚さず、壁面１に粘着剤８ａを強く押し付けてミクロ吸盤ラベルホルダーを被着体１に固定することが出来る。特に壁面が凹凸のある壁紙に固定する場合には効果がある。次に図６の如く剥離物４ｂ，４ｈを剥がして顔を出したミクロ吸盤面６ｂ、６ｈを吊り下げ物１の側面１ｂ，１ｈに吸着させる、図６の如く例えばティシュボックスをほぼ中央になるように置いて、ティッシュボックスの底面１ｅ、が剥離物４ｃ〜４ｇの上になるように設置した後、ミクロ吸盤ラベルホルダー３の両端を９０度に折り曲げティッシュホルダーの側面１ｂ，１ｈにミクロ吸盤６ｂ、６ｈを吸着させる。さらに支持体を指で加圧するとミクロ吸盤６ｂ、６ｈが、ティッシュホルダーの側面１ｂ，１ｈにさらに強く吸着し、吊り下げ物は固定される。ティッシュボックスの重さは約３００グラム、キッチンペーパーボックスは約２００グラムであるが、ミクロ吸盤ラベルホルダー３の大きさ、あるいは剥離物４、背面剥離物９を剥がして顔を出すミクロ吸盤、あるいは及び接着媒体９の面積を増減させることで吸着面から脱落を防止することも、被着体２０の壁面から脱落を防止することも出来る。さらに重量のある吊り下げものの場合、その重さに応じて剥離物４ｃ〜４ｇを任意の枚数剥がしてミクロ吸盤と、吊り下げ物の側面１ｂ，１ｈと、底面１ｅとの吸着面責を増大させることにより脱落防止できる。図１ａ，図１ｂ、は図１０の如く吊り下げ物（例えばティッシュボックス）をミクロ吸盤ラベルのべろ部分３ｃを出して固定した場合の斜視図である。図２ａ，図２ｂは図７の如く吊り下げもの（例えばティッシュボックス）を固定した場合の斜視図であるが、図２ａ，図２ｂはミクロ吸盤ラベルホルダーの両先端はティッシュボックスの側面１ｂ，１ｈ内に止まり、図１の如く両先端べろ部分３ｃが側面から突き出していない。一旦固定した吊り下げ物（ティッシュペーパーボックス）１をミクロ吸盤ラベルホルダー３から外すに、側面１ｂ、１ｈに吸着したミクロ吸盤６ａ，６ｈを手剥がしするに当たって、ミクロ吸盤ホルダーの両先端に剥離物４ａ、４ｉを残すことで、その部分を図７の如く隆起させ、剥す場合に、指の爪が食い込み安くしたものである。特に剥離物４ａ、４ｉはティッシュホルダー側面には接着してないことから簡単に口を開け、剥離物の指の爪が引っかかり易くして、吊り下げ物をホルダーから容易に外すのに役立つことのである。図１ａ，図１ｂは図１０の如くミクロ吸盤ラベルホルダーの両先端べろ部分３ｃを側面１ｂ，１ｈより３ｍｍ〜１０ｍｍ長くして頭が突き出る程度に長くすることで掴みやすくして、吊り下げ物１の側面１ｂ、１ｈに吸着したミクロ吸盤６ｂ，６ｈを容易に剥がせるようにしたものである。
さらに図７の如く粘着剤８ａの長さをティッシュボックスの底面１ｅより長くして接着媒体べろ１３を出しことにより、より強固な固定を可能にする。状態で被着体２０の壁に固定すｔまた本考案は吊り下げ物を外した後、次の使用時まではミクロ吸盤、６ｂ、６ｈを図１１、図１２の如く折り畳んで剥離物面４ｃ〜４ｇに吸着させ、あるいはミクロ吸盤同士を吸着させ外気からミクロ吸盤を保護し吸着力の劣化を防止するよう工夫したものである。ミクロ吸盤面は図５、図９に示す如くミクロ吸盤面６ｂ、６ｈが空気に長時間さらされるとミクロ吸盤面は微妙に変化して吸着力が減少するからである。【００１５】ミクロ吸盤ラベルホルダー３は図１３に見る如くカレンダー等の薄くて幅広い吊り下げ物の固定も可能となる。図１３は図５、図８のミクロ吸盤ラベルホルダーを中央部点線１０より切断して左右２個に分断させ、一方のミクロ吸盤ホルダー３ｅ，３ｄを使って図１３の如くカレンダーを壁面に固定した断面拡大図である。カレンダーの重さに耐え、壁面からの脱落を防止するには、カレンダーに接触するミクロ吸盤６の面積、壁に接触する粘着剤８ａの接着面積、を剥離物４、あるいは背面剥離物８の面積増減で制御する。【００１６】以上、本考案は吊り下げ物の重量に耐えられる支持体７の一方の面に、吊り下げ物の側面に吸着するミクロ吸盤６と、剥離物４と、をこの順に具備したミクロ吸盤ラベル２を、吊り下げ物の形状、重量、目的に合わせて、最適の形状に切断し、切断されたミクロ吸盤ラベルの剥離物４に複数の平行な抜き刃を入れ、抜き刃を入れた剥離物４の支持体反対面の最適の位置に、壁面に接着する接着媒体８と、背面剥離紙９と、をこの順に具備したミクロ吸盤ラベルホルダー３である。本考案のミクロ吸盤ラベルホルダー３の使用方法は任意の位置に抜き刃を入れた剥離物４を、あるいは背面剥離物９、を剥がすことによって顔を出すミクロ吸盤の吸着面積を増減させて吸着力を制御、あるいは被着体２０に対する接着力を制御する方法を取る。
【実施例１】
【００１７】表面にかわいい犬が印刷された１００μ厚ポリエステルフイルム支持体７の裏面に１００μ厚ミクロ吸盤６が形成され、３０μ厚のポリエチレンフイルム剥離物４からなる総厚２３０μのミクロ吸盤ラベルを４０ｍｍ×２１０ｍｍの長方形に切断し、図４の如くポリエチレンフイルム剥離物４にカッターで５ａ〜５ｈの抜き刃を入れた。次に犬が印刷されている支持体面の中央部に両面粘着テープ（東洋インキ製  ダブルフェース）を接着媒体８として図４の如く張り合わその上から背面剥離物９を被覆して４０ｍｍ×２１０ｍｍのミクロ吸盤ラベルホルダー３を作成した。両面粘着テープで被覆された部分の犬の模様は消えたが、図１ａの如く、かわいい犬のマークはミクロ吸盤ラベルホルダー３のシンボルとして残ることになる。次に４ｂ、４ｈ部分のポリエチフイルム剥離物４を剥がして、図５の如く指で４ｃ〜４ｇの部分のポリエチレンフイルムを指で押し付け、壁面に両面テープ接着媒体８を介して貼り付け固定した後、図９、図１０の如く、重さ２６０ｇのティッシュペーパーボックの側面１ｂ、１ｈにミクロ吸盤面６ｂ、６ｈを吸着固定する。ティッシュペーパーボックスの重さは軽いもので２００ｇから枚数のある重いもので４００ｇに渡るが、２６０ｇの重さの場合、４０ｍｍ×２１０ｍｍのミクロ吸盤ラベルホルダー３はティッシュペーパーボックスの両端に二個設置した。脱落のなく使用時のティッシュペーパーの抜き取りにも十分耐えられるものであった。ティッシュペーパーボックスの固定方向には利便性の点から，縦設置図１ａ、横設置図１ｂがあるが、ミクロ吸盤ラベルホルダー３の固定の仕方には側面着け図２ａ，上面着け図２ｂ、の方法がある。何れの方法も脱落なくティッシュペーパーの抜き取りにも十分耐えられるものであった。またかわいい犬のデザインが側面に出ることから無地と比較してシンボル性を高めた。
【実施例２】
【００１８】表面に可愛い猫が印刷された１００μ厚の両面グロスコート紙（王子製紙ＰＯＤ）の印刷面に１００μ厚透明ポリエステルフイルムに粘着剤を介して貼り合わせた複合支持体７と、その裏面に形成された厚さ１００μのミクロ吸盤６と、６０μ厚のポリエチレンラミネートフイルム剥離物４からなる総厚３６０μのミクロ吸盤ラベル２を６０ｍｍ×３１０ｍｍの長方形に切断し、図８の如く剥離物４に５ｂから５ｇのほぼ平行な抜き刃を入れた。次に可愛い猫の印刷が透視できる前記１００μ透明ポリエステルフイルム面（支持体７）に、３０μポリエチレンフイルム（背面剥離物９）を具備したミクロ吸盤８ｂ（厚さ２００μ）を粘着剤を介して貼り合わせ、図９の如く６０ｍｍ×３１０ｍｍのミクロ吸盤ラベルホルダー３を作成した。粘着剤８ａを介してミクロ吸盤８ｂを貼り合わせた部分の猫の画像は見えないが、他の部分の猫の画像は透視され、ミクロ吸盤ラベルホルダー３のシンボルとなった。次にミクロ吸盤ラベルホルダー３の壁面固定方法について説明する。まず図８の剥離物４の４ａ、４ｇ，部分のポリエチレンフイルムを剥がして、残った４ｂ〜４ｇの部分のポリエチレンラミネートを指先で擦る様に押し付けながら、厚さ２００μミクロ吸盤８ｂを冷蔵庫の扉に貼り付け固定した後、図１０の如く、重さ２００ｇのキッチンペーパーボックスの側面１ｂ、１ｈにミクロ吸盤面６ｂ、６ｈを吸着固定させた。６０ｍｍ×３１０ｍｍのミクロ吸盤ラベルホルダー３はキッチンペーパーボックスの中央に図２ｂの如く一個設置した。冷蔵庫の扉に貼り付け固定されたミクロ吸盤ラベルホルダー３はペーパー使用時にも十分耐えられるほど強く固定されていた。キッチンペーパーボックスの交換時には図１ａの如く突き出たミクロ吸盤ラベルのべろ部分３ｃを掴んで剥がして、キッチンペーパーボックスを取り外すことが出来た。取り外した後、図１１の如くミクロ吸盤を内側に折り畳んで外気を遮断して次の使用に構えた。。
【実施例３】
【００１９】厚さ１００μポリエステルフイルム支持体７と、その裏面に形成された厚さ１００μのミクロ吸盤６と、３０μ厚のポリエチレンフイルム剥離物４と、からなる総厚２３０μのミクロ吸盤ラベルを３０ｍｍ×２１０ｍｍの長方形に切断し、図４の如くポリエチレンフイルム剥離物４に５ａ〜５ｈの抜き刃を入れた。次にかわいい犬が印刷されている支持体面に、背面剥離物９を具備した粘着剤（東洋インキ製  ダブルフェース）８ａを図４の如くほぼ中央に貼り合わせて、４０ｍｍ×２１０ｍｍのミクロ吸盤ラベルホルダー３を作成した。次に剥離物４の４ｂ、４ｈ部分のポリエチフイルムを剥がして、図５の如く指で４ｃ〜４ｇの部分のポリエチレンフイルムを押し付けながら微細凹凸のある壁面に両面テープ接着媒体８を介して張り付け固定した後、図１１、図１２の如く、ミクロ吸盤ラベルホルダー３を折り畳んだ後、図１１、の中心線に沿って切断して左右２個のミクロ吸盤ラベルホルダー３に分けた左半分３ｄ（あるいは右半分３ｅ）に印刷されたコート紙カレンダー１１を図１３の断面図の如くミクロ吸盤の間１２に挟んだところ、ミクロ吸盤とコート紙はよく密着してカレンダー１１を壁に吊るすことができた。また図１２の中心線に沿って分断したミクロ吸盤ラベルホルダー３ｄ（あるいは右半分３ｅ）にコート紙に印刷されたカレンダー１１を一枚、図１４の断面図の如くミクロ吸盤の間１２に挟んで吊るしたところ、ミクロ吸盤とコート紙とはよく密着して、カレンダー一枚を壁に吊るすことができた
【図面の簡単な説明】
【００２０】
【図１ａ】吊り下げ物１をミクロ吸盤ラベルホルダー３ａで被着体２０（壁等）に固定するに、ミクロ吸盤ラベルホルダー３ａの先端，べろ部分３ｃが吊り下げ物１の側面から飛び出して縦長に固定された斜視図．
【図１ｂ】吊り下げ物１をミクロ吸盤ラベルホルダー３ａで被着体２０（壁等）に固定するに、ミクロ吸盤ラベルホルダー３ａの先端，べろ部分３ｃが吊り下げ物１の側面から飛び出して横長に固定された斜視図．
【図２ａ】吊り下げ物１をミクロ吸盤ラベルホルダー３で被着体２０（壁等）に固定するに、ミクロ吸盤ラベルホルダー３ｂの先端が吊り下げ物１の側面内に縦長に固定された斜視図
【図２ｂ】吊り下げ物１をミクロ吸盤ラベルホルダー３で被着体２０（壁等）に固定するに、ミクロ吸盤ラベルホルダー３ｂの先端が吊り下げ物１の側面内に横長に固定された斜視図
【図３】支持体７、ミクロ吸盤６、剥離物４からなるミクロ吸盤ラベル２の斜視図
【図４】ミクロ吸盤ラベルホルダー３ｂの斜視図。ミクロ吸盤ラベル２の中央部剥離物に複数の平行な抜き刃５ａ，５ｂ，５ｃ，５ｄ，５ｅ，５ｆ，５ｇ，５ｈを入れ、抜き刃を入れた剥離物４の反対面の支持体に、粘着剤８ａ、背面剥離紙９をこの順に具備したミクロ吸盤ラベルホルダー。
【図５】図４のミクロ吸盤ラベルホルダー３ｂの剥離物４ｂ，４ｈ及び剥離紙９を剥がし、剥離物４ｃ〜４ｇの上から指で被着体１（壁等）を押さえて粘着剤８ａを被着体２０にしっかり接着させている断面図。
【図６】図５のミクロ吸盤ラベルホルダー３ｂの剥離物４ｃ〜４ｇの上に吊り下げ物１を固定する前の断面図。
【図７】被着体２０（壁等）にミクロ吸盤ラベルホルダー３ｂで吊り下げ物１を固定した断面図。
【図８】ミクロ吸盤ラベルホルダー３ａの斜視図。ミクロ吸盤ラベル２の剥離物４に平行な抜き刃５ｂ、５ｃ、５ｄ、５ｅ，５ｆ，５ｇを入れて出来た剥離物４ｃ〜４ｇの反対面の支持体７上に、粘着剤８ａ、背面剥離物９をこの順に具備したミクロ吸盤ラベルホルダー３ｂ。
【図９】図の如く被着体に接着させたミクロ吸盤ラベルホルダー２ａに吊り下げ物３を固定する直前の断面状態図。４ａ，４ｂ，４ｈ，４ｊ部分の剥離物を除去した断面図。
【図１０】被着体２０（壁等）にミクロ吸盤ラベルホルダー３で吊り下げ物３を固定した断面図。吊り下げ物１の高さよりミクロ吸盤ラベルホルダー３の先端が長く、図１の斜視図の如く先端が飛び出した断面図。
【図１１】吊り下げ物を取り外した後、折り畳んだ斜視図
【図１２】吊り下げ物を取り外した後、折り畳んだ斜視図で剥離物の抜き刃の数が少ない場合
【図１３】ミクロ吸盤ラベルホルダー３の使い方例の断面図で、吊り下げ物３がカレンダー等のごとく厚さ薄い場合で、図１６の如く図１３のミクロ吸盤ラベルホルダーを左右２個使用した例。
【図１４】ミクロ吸盤ラベルホルダー２の使い方例の断面図で、吊り下げ物３がカレンダー等のごとく厚さ薄い場合で、図１６の如く図１３のミクロ吸盤ラベルホルダーの３ｄ，３ｅに２個使用する例。
【図１５】キッチン用アルミホイルの箱を２個のミクロ吸盤ラベルホルダー３ａにて壁に固定した斜視図
【図１６】カレンダーを壁に２個のミクロ吸盤ラベルホルダー３を使って吊り下げた斜視図
【符号の説明】
【００２１】１．吊り下げ物の１ｂ側面、１ｈ側面、１ｅ底面
２．ミクロ吸盤ラベル
３．ミクロ吸盤ラベルホルダー
３ａ．図１０のミクロ吸盤ラベルホルダー
３ｂ．図７ミクロ吸盤ラベルホルダー
３ｃ、ミクロ吸盤ラベルホルダーのべろ部分
３ｄ、図１１、図１２のミクロ吸盤ラベルホルダーの左半分
３ｅ，図１１、図１２のミクロ吸盤ラベルホルダーの右半分
４．剥離物  ４ａ，４ｂ，４ｃ，４ｄ，４ｅ，４ｆ，４ｇ，４ｊは抜き刃で切断された個々の剥離物
５．抜き刃  ５ａ，５ｂ，５ｃ，５ｄ，５ｅ，５ｆ，５ｇ，５ｊは抜き刃を入れた位置を示す。
６．ミクロ吸盤  ６ｂ、６ｈは顔を出したミクロ吸盤
７．支持体
８．接着媒体、
８ａ．粘着剤、
８ｂ．ミクロ吸盤
８ｃ．マグネットシート
９．背面剥離物
１０．中央部点線
１１．カレンダー
１２．ミクロ吸盤に挟まれた空間
１３．接着媒体べろ
２０被着体（壁）
【図１ａ】
2006292158.tif 000003
【図１ｂ】
2006292158.tif 000004
【図２ａ】
2006292158.tif 000005
【図２ｂ】
2006292158.tif 000006
【図３】
2006292158.tif 000007
【図４】
2006292158.tif 000008
【図５】
2006292158.tif 000009
【図６】
2006292158.tif 000010
【図７】
2006292158.tif 000011
【図８】
2006292158.tif 000012
【図９】
2006292158.tif 000013
【図１０】
2006292158.tif 000014
【図１１】
2006292158.tif 000015
【図１２】
2006292158.tif 000016
【図１３】
2006292158.tif 000017
【図１４】
2006292158.tif 000018
【図１５】
2006292158.tif 000019
【図１６】
2006292158.tif 000020
【手続補正書】
【提出日】平成17年11月16日(2005.11.16)
【手続補正１】
【補正対象書類名】特許請求の範囲
【補正対象項目名】全文
【補正方法】変更
【補正の内容】
【特許請求の範囲】
【請求項１】
支持体の一方の面に、吊り下げ物を繰り返し貼り付け、剥離を可能にするミクロ吸盤と、剥離物をこの順に具備したミクロ吸盤ラベルを任意の形状に切断し、支持体の支持体の他の一方の面の任意の位置に、接着媒体と、背面剥離物と、をこの順に具備したミクロ吸盤ラベルホルダー。
【請求項２】
支持体の一方の面に、吊り下げ物を繰り返し貼り付け、剥離を可能にするミクロ吸盤と、剥離物と、をこの順に具備したミクロ吸盤ラベルを任意の形状に切断し、切断されたミクロ吸盤ラベルの剥離物に複数の平行な抜き刃を任意の位置に入れ、支持体の他の一方の面に、任意の位置に粘着剤と、背面剥離物と、をこの順に具備したミクロ吸盤ラベルホルダー。
【請求項３】
支持体の一方の面に、吊り下げ物を繰り返し貼り付け、剥離を可能にするミクロ吸盤と、剥離物と、をこの順に具備したミクロ吸盤ラベルを任意の形状に切断し、切断されたミクロ吸盤ラベルの剥離物に複数の平行な抜き刃を任意の位置に入れ、支持体の他の一方の面に、任意の位置にミクロ吸盤と、背面剥離物と、をこの順に具備したミクロ吸盤ラベルホルダー。
【請求項４】
支持体の一方の面に、吊り下げ物を繰り返し貼り付け、剥離を可能にするミクロ吸盤と、剥離物と、をこの順に具備したミクロ吸盤ラベルを任意の形状に切断し、切断されたミクロ吸盤ラベルの剥離物に複数の平行な抜き刃を任意の位置に入れ、支持体の他の一方の面の中央部に、マグネットシートを具備したマグネット付きミクロ吸盤ラベルホルダー。
【請求項５】
マグネットシートからなる支持体の一方の面に、吊り下げ物を繰り返し貼り付け、剥離を可能にするミクロ吸盤と、剥離物と、をこの順に具備したミクロ吸盤ラベルを任意の形状に切断し、剥離物に複数の平行な抜き刃を入れたマグネット付きミクロ吸盤ラベルホルダー。
【請求項６】
剥離物の任意の位置に複数の平行な抜き刃を入れ、任意の剥離物を除去した後、ミクロ吸盤面同士を面合わせするように内側に折り畳んだ請求項２、請求項３、請求項４記載、請求項５記載のミクロ吸盤ラベルホルダー。
【手続補正２】
【補正対象書類名】明細書
【補正対象項目名】全文
【補正方法】変更
【補正の内容】
【発明の詳細な説明】
【技術分野】
【０００１】本発明は台所、洗面所、トイレ、その他室内の壁面、冷蔵庫の壁面、タイルの壁面あるいは机の天板下、天井等の水平面に物を吊り下げるに当たって、吊り下げ物を任意に繰り返し固定し、取り外しのできる治具ラベルに関する。吊り下げ物にはティッシュペーパー箱、キッチンペーパー箱、台所ラッピングフイルム箱の如く長方体紙製箱から、樹脂製箱、金属性箱、木製箱から、缶ビール等の円柱状の金属製缶等、の表面が平滑なものを対象とする。
【背景技術】
【０００２】吊り下げ物を壁面に固定するホルダーについては以下の多くの特許が出願されている。その多くがホルダーの固定手段として粘着剤、フック、マグネット、吸盤をホルダーに介在させて吊り下げ物を壁面に固定する方法を提案している。また多くの特許はティシュペーパー箱の壁面固定方法に関するもが多い。しかしながら何れの特許文献も、寸法、大きさが特定された箱型、例えばティシュペーパー箱、等の特定物に関するものである。以下の特許文献には吊り下げ物を壁面に固定する手段として、粘着剤、吸盤、マグネットを介在させた固定方法が多く開示されている。特に吸盤は柔らかい樹脂からなる円状で直径２〜５センチの吸盤を使用するものであって、被着体が粗面であったり、曲面であったり、吸盤の直径より小さい被着体であったりすると使えない欠点を持つ。本発明は直径が５〜１００ミクロンの凹状陥没穴を無数に有する微細なミクロ吸盤、及びゲル状樹脂からなる自己粘着剤、及び微細な球状物質を含む微弱粘着剤を、吊り下げ物の固定の媒体として使う。一方、室内の壁面、冷蔵庫、タイルの壁面、机の天板下の水平面、車両内部面との固定には接着媒体としてミクロ吸盤、粘着剤、マグネットを、固定用に応用するものである。
【特許文献１】特開２００４−２７２２２０７
【特許文献２】特開２００４−２８３５９８
【特許文献３】特開２００３−１１６７４３
【特許文献４】特開２００２−２６３０３１
【特許文献５】特開２００１−０７８９１９
【特許文献６】特開２０００−１０９０９２
【特許文献７】特開平１１−１３７４７５
【特許文献８】特開平９−２４８２３８
【特許文献９】特開平７−１０００８０
【特許文献１０】特開平７−１０００８０
【特許文献１１】特開平６−２１７８９３
【特許文献１２】特許広報平５−８１６１４号
【特許文献１３】登録実用新案第３０８９８７５号
【特許文献１４】登録実用新案第３０５４０８９号
【特許文献１５】登録実用新案第３０４０７５５号
【特許文献１６】登録実用新案第３０３８８８６号
【特許文献１７】登録実用新案第３０３１３１０号
【特許文献１８】登録実用新案第３００２８８０号
【発明の開示】
【発明が解決しようとする課題】
【０００３】発明が解決しようとする課題は、台所、洗面所、トイレ、その他室内の壁面、冷蔵庫の壁面、タイルの壁面あるいは机の天板下面、乗用車の天井面等の水平面に吊り下げ物を固定するに当って、繰り返し固定し、簡単に取り外しのできるホルダーの提供である。
【発明が解決する手段】
【０００４】上記目的を達成するためにミクロ吸盤ラベル２を吊り下げ物の固定に応用するものである。ミクロ吸盤とは、特許文献１２に開示されているが、アクリル酸エステル共重合体エマルジョン液に、整泡剤、増粘剤、起泡剤、硬化剤、顔料を一定の割合に混合して、機械的発泡機「オークスミキサー」を通して、加圧空気を送り込み、発泡倍率１．２倍〜３倍（発泡前の単位容積当たりの重量を発泡後の単位容積あたりの重量で除した数値）にして無数の微細気泡を含む泡沫状エマルジョン液をコンマコーターにて支持体上に塗布、乾燥して形成される５０〜１０００μ厚の発泡シートをいう。
【０００５】発泡シートは柔軟で弾性をもち、無数の微細凹状陥没穴を有するミクロ吸盤はその径より大きな径を持つ内部の気泡に連続し、該内部の気泡は他の気泡と細径管にて連続した構造を有する吸着性発泡シートである。塗布後のミクロ吸盤面上の凹状陥没穴は必ずしも真円ではなく、凹状陥没穴の長径は１００ミクロン以下で、平均的には５〜７０ミクロンの凹状陥没穴が個数で９５％を占め、単位面積あたり１〜９万個／ｃｍ２が形成されている。この微細で柔軟な凹状陥没穴が陰圧吸着力を発揮し、通気性のない平滑面であればどんなものでも良く吸着する。吸着力とは凹状陥没穴が被着体表面に圧着されると、凹状陥没穴と被着体表面によって形成される密閉空間が減圧状態となることにより発生する吸引力である。以上のように支持体７の上に塗工形成されたミクロ吸盤６は平滑面を有する被着体に対して繰り返し貼り付け・剥離が容易に出来る一方、吸着した平滑面に対して非常に高いせん断保持力を有する特性を持つ。一方、ミクロ吸盤面は長時間空気に晒すと、表面が微妙に変化して、吸着力が減少する難点を持つ。
【０００６】本発明は繰り返し脱着可能な吸着力と、高い保持力を有するミクロ吸盤を、吊り下げ物の固定に応用したミクロ吸盤ラベルホルダー３（３ａ，３ｂ、）に関する。
ミクロ吸盤ラベルホルダー３は吊り下げ物１の側面に吸着機能を持つミクロ吸盤ラベル２と、ミクロ吸盤ラベル２を壁面に接着固定させる接着媒体８からなる。ミクロ吸盤は表面平滑な、樹脂版、樹脂フイルム、コート紙、板紙、金属板、塗装された木製板、大理石面、タイルに良く吸着する。ミクロ吸盤は加圧して陰圧吸着が保たれる被着体に対して繰り返し貼り付け・剥離ができる一方、非常に高い保持力を有する。またミクロ吸盤は粘着剤の如くベトつくことも無く、被着体に糊残りを発生させることも無く、表面が汚れて吸着力が衰えても、水洗いすることによって吸着力が再生する特性を持つ。このミクロ吸盤の特性を吊り下げ物のホルダーに応用したのが本考案である。自己粘着ラベルホルダー、微弱粘着ラベルホルダーも前記ミクロ吸盤と類似機能を持つ。自己粘着ラベルの代表はフィックスフイルム（フジコピアン（株）製品の商標）である。支持体に３０μ程度のゲル状樹脂を極均一に塗布したラベルでガラス、アクリル板、キャストコート紙等の平滑面に対して接着する。樹脂はシリコーン樹脂、ポリオレフィン樹脂からなり適度な弾性と平滑面に対する良い濡れ性を持った透明な樹脂層である。微弱粘着ラベルの代表はポストイット（３Ｍ（株）商標）である。微弱粘着層は内部に直径１０μ以下の球状ゼラチンを含ませ、適度な弾性を保有した粘着剤である。
【発明の効果】
【０００７】本考案のミクロ吸盤ラベルホルダーを使用することにより、吊り下げ物の表面が平滑であるという制限は付くが、任意の大きさの吊り下げ物をその形状、重量に合わせて壁等の垂直面、天井面に吊り下げることができる。また容易に着、脱が可能であり繰り返し使える利点は大きくティシュペーパボックス、キッチンペーパーボックス、食品のラッピングフイルムボックス、カレンダー、ポスター、缶ビール、缶ジュース等を壁面、壁紙面、ガラス面、塗装木製板、板紙、タイル面、プラスティック面、鉄板塗装面、天然石面、冷蔵庫面、タイル面に固定し、着脱を繰り返すことが出来る。
【０００８】上記目的を達成するために図３の如く支持体７の一方の面に、ミクロ吸盤６と、剥離物４と、をこの順に具備したミクロ吸盤ラベル２を任意の形状に切断し、切断されたミクロ吸盤ラベル２の剥離物に複数の平行な抜き刃５ａ〜５ｈを入れ、抜き刃５ｂ〜５ｇを入れた中央部剥離物４ｃ〜４ｇの背面の支持体７に、粘着剤８ａ、背面剥離紙９をこの順に具備した図４のミクロ吸盤ラベルホルダー３である。ミクロ吸盤ラベル２の平面形状は図３の如く長方形であるが、任意の形状に切断し、円形、菱形、楕円、特別にデザインされた形状であっても良い。
【０００９】ミクロ吸盤ラベル２は図３のごとく支持体７、ミクロ吸盤６、剥離物４からなる。支持体７はミクロ吸盤６との密着性、接着性に優れ、適当に剛直な樹脂フイルム、例えば厚さ５０μ〜３００μの、ポリエステルフイルム、合成紙、硬質塩ビフイルム、アルミシート、厚紙類が良い。これらの支持体の表面には印刷が施されていても良い。あるいはこれらの支持体には粘着剤を介して印刷物を保護すべく透明粘着フイルムがオーバーラミされた複合支持体であっても良い。支持体は、図７の如く吊り下げ物の側面に沿って曲がる適当な厚さと、適度な可とう性、適度な剛直性は、吊り下げ物の形状、自重によって選ばれるのは言うまでもない。ミクロ吸盤ラベルホルダー３の使用される場所、に合わせて適宜支持体は選択される。
【００１０】ミクロ吸盤６は前述した通り吊り下げ物１の側面に吸着し、簡単に剥がれる機能を持つ。本考案に使用させるミクロ吸盤６の厚さは５０μ〜１０００μが適当である。５０μ以下になると急激に吸着力が減少する。１０００μ以上に厚くしても吸着力の増加は少なくむしろ経済的負荷が大きくなるだけである。ミクロ吸盤６は非常に柔らかいフォームシート状で支持体に接着されていて、吊り下げ物の重さに耐えなければならない。このことからも支持体は適度な硬さ剛性が必要になる。ミクロ吸盤を支持体によく接着させるには、アクリル酸エステル共重合体エマルジョンと良く接着する支持体を選ぶのが良い。例えばポリエステルフイルム、ウレタンフイルム、合成紙、塩ビフイルムがある。一方、接着性のよくない支持体、例えば紙類、ポリオレフィンフイルムに対しては粘着剤を介してミクロ吸盤を支持体に接着させるのが良い。
【００１１】剥離物４の働きは、ミクロ吸盤面を保護してゴミ付着を防止し、また外気に長時間晒されることによる吸着力減少を防止する働きを持つ。剥離物４はミクロ吸盤６の吸着力によってミクロ吸盤の面に密着被覆されているが、容易に手剥がしが可能な表面平滑な２０ミクロンから１００ミクロン厚の樹脂フイルム、たとえばポリエステルフイルム、ポリエチレンフイルム、ポリプロピレンフイルム、あるいは表面平滑な剥離紙、例えば紙の両面にポリエチレン樹脂を熔融押し出し塗布した片面ポリラミ紙、両面ポリラミ紙、グラシン紙が良い。さらにこれらの表面にシリコーン等の剥離処理したものであれば更に良い。剥離物４の表面は平滑であることが必須であり、剥離物（例えば樹脂フイルム等）の平滑面はミクロ吸盤面に密着しているために、結果的にミクロ吸盤面の平滑性を決め、更にはミクロ吸盤の吸着力を決めることになるからである。
【発明を実施するための最良の形態】
【００１２】図１ａ，図１ｂ、図２ａ，図２ｂの如く吊り下げ物１はミクロ吸盤ラベルホルダー３ａ，３ｂ，によって被着体（壁面）２０に固定される機構を説明する。まず図４における剥離物４ｂ、４ｈを剥がして顔を出したミクロ吸盤面６ｂ，６ｈを吊り下げ物１の側面１ｂ，１ｈ、あるいは底面１ｅに圧着することで吸着力を働かせ吊り下げ物１は図７、図１０の如く固定される。
本考案は吊下げ物１のミクロ吸盤６面に対する吸着力を制御して着脱する方法として吊り下げ物１とミクロ吸盤６との吸着面積を増減させる方法を取る。図４の如く剥離物４を貫通する平行な抜き刃を入れ、４ａから４ｉの剥離物を任意に剥離して顔を出したミクロ吸盤６と吊り下げ物１の側面との吸着面積の増減を図り吊り下げ物１に対するミクロ吸盤６の吸着力を増減させる。例えば吊り下げ物１との吸着力を増大させるには４ａ〜４ｉの９枚全部の剥離物を剥ぎ取って吊り下げ物１の側面との吸着面積を増大させて、より強固に吸着させることが出来る。吊り下げ物１との吸着力を減少させるには４ａ〜４ｉの９枚の剥離物のうち４枚を任意に剥ぎ取って吊り下げ物１の側面に吸着させると、吸着面積は半減して、吊り下げ物１を固定する吸着力も半減する。【００１３】支持体１の反対面、つまりミクロ吸盤６の形成されていない他の一方の面には接着媒体８、例えば、粘着剤８ａ、ミクロ吸盤８ｂ、マグネットシート８ｃ等を具備させることによって、壁の垂直面、天井、車内の水平面にミクロ吸盤ラベルホルダー３を固定することが出来る。粘着剤８ａにあっては支持体１の反対面、つまりミクロ吸盤６の形成されていない他の一方の面に粘着剤８ａ、背面剥離物９をこの順に具備したミクロ吸盤ラベルホルダー３であって、粘着剤８ａの末端は支持体に接着せず図７の如く接着媒体べろ１３が形成されても良い。背面剥離物９を剥がして顔を出した粘着剤８ａにて室内の壁面、壁紙面、ガラス面、木製板、板紙、タイル面、プラスティック面、鉄板塗装面、天然石等に容易にミクロ吸盤ラベルホルダー３を接着固定させることが出来る。粘着剤８ａは中芯が樹脂フイルム、和紙からなる両面粘着テープでも良い。背面剥離物９には剥離物４と同様に複数の抜き刃をいれ、任意の枚数の剥離物を手剥がしすることで顔を出した粘着剤８ａの接着面積を変動させ、吊り下げ物の形状、重量にあわせてミクロ吸盤ラベルホルダー３の壁面に対する接着力を制御することが出来る。背面剥離物９はシリコーン樹脂等の剥離剤が塗布されたものが良い。
前記の粘着剤８ａの代わりにミクロ吸盤８ｂを代替使用することもできる。支持体７と、つまりミクロ吸盤８ｂ、と、背面剥離物９と、をこの順に具備したミクロ吸盤ラベルホルダー３では、被着体１はミクロ吸盤８ｂの吸着する表面平滑な被着体に制限されるが、背面剥離物９には、剥離物４と同様に複数の抜き刃をいれ、任意の枚数の剥離物を手剥がしすることで顔を出したミクロ吸盤の吸着面積を変動させ、表面平滑な、ガラス面、壁紙面、塗装木製板、タイル面、プラスティック面、鉄板塗装面、天然石、に吊り下げ物を固定することが出来る。ミクロ吸盤８ｂはポリエステルフイルムを中芯をもつ両面ミクロ吸盤であっても良い。ミクロ吸盤８ｂは被着体２０に糊を残さず、容易に繰り返し貼って剥がせる特徴を持つ。前記の粘着剤８ａの代わりに支持体７と、マグネットシート８ｃとを、この順に粘着剤、あるいは接着剤を介して具備したマグネット付ミクロ吸盤ラベルホルダー３では、被着体２０は鉄、冷蔵庫鉄板塗装面に制限されるが、これも良い接着媒体８である。このように接着媒体８として粘着剤、ミクロ吸盤、マグネットシートをミクロ吸盤ラベル２に組み合わせることでミクロ吸盤ラベルホルダー３の利便性をさらに広げることが出来る。【００１４】図５は剥離物４ｂ，４ｈを剥がしたミクロ吸盤ラベルホルダー３ｂを被着体２０に固定した断面図である。剥離物４ｃ〜４ｇを残すことによって、その上から指で押さえても指を汚さず、粘着剤８ａを強く押し付けてミクロ吸盤ラベルホルダーを被着体２０に固定することが出来る。特に凹凸のある壁面に固定する場合には効果がある。次に図６の如く剥離物４ｂ，４ｈを剥がして顔を出したミクロ吸盤面６ｂ、６ｈを吊り下げ物１の側面１ｂ，１ｈに吸着させる、図６の如く例えばティシュボックスをほぼ中央になるように置いて、ティッシュボックスの底面１ｅ、が剥離物４ｃ〜４ｇの上になるように設置した後、ミクロ吸盤ラベルホルダー３の両端を９０度に折り曲げティッシュホルダーの側面１ｂ，１ｈにミクロ吸盤６ｂ、６ｈを吸着させる。さらに支持体７を指で加圧するとミクロ吸盤６ｂ、６ｈが、ティッシュホルダーの側面１ｂ，１ｈにさらに強く吸着し、吊り下げ物は固定される。ティッシュボックスの重さは約３００グラム、キッチンペーパーボックスは約２００グラムであるが、ミクロ吸盤ラベルホルダー３の大きさ、あるいは剥離物４、背面剥離物９を剥がして顔を出すミクロ吸盤６、あるいは接着媒体９の面積を増減させることで吸着面から脱落を防止することも、被着体２０の壁面から脱落を防止することも出来る。さらに重量のある吊り下げ物１の場合、その重さに応じて剥離物４ｃ〜４ｇを任意の枚数剥がしてミクロ吸盤と、吊り下げ物の側面１ｂ，１ｈと、底面１ｅとの吸着面責を増大させることにより脱落防止できる。図１ａ，図１ｂ、は図１０の如く吊り下げ物（例えばティッシュボックス）をミクロ吸盤ラベルのべろ部分３ｃを出して固定した場合の斜視図である。図２ａ，図２ｂは図７の如く吊り下げ物（例えばティッシュボックス）を固定した場合の斜視図であるが、図２ａ，図２ｂはミクロ吸盤ラベルホルダーの両先端はティッシュボックスの側面１ｂ，１ｈ内に止まり、図１の如く両先端べろ部分３ｃが側面から突き出していない。一旦固定した吊り下げ物（ティッシュペーパ−ボックス）１をミクロ吸盤ラベルホルダー３から外すに、側面１ｂ、１ｈに吸着したミクロ吸盤６ｂ，６ｈを手剥がしするに当たって、ミクロ吸盤ホルダーの両先端に剥離物４ａ、４ｉを残すことで、その部分を図７の如く隆起させ、剥す場合に、指の爪が食い込み安くしたものである。特に剥離物４ａ、４ｉはティッシュホルダー側面には接着してないことから簡単に口を開け、剥離物に指の爪が引っかかり易くして、吊り下げ物をホルダーから容易に外すのに役立つのである。図１ａ，図１ｂは図１０の如くミクロ吸盤ラベルホルダーの両先端べろ部分３ｃを側面１ｂ，１ｈより３ｍｍ〜１０ｍｍ長くして頭が突き出る程度に長くすることで掴み易くして、吊り下げ物１の側面１ｂ、１ｈに吸着したミクロ吸盤６ｂ，６ｈを容易に剥がせるようにしたものである。
さらに図６、図７の如く粘着剤８ａの長さをティッシュボックスの底面１ｅより長くして接着媒体べろ１３を出すことにより、より強固な固定を可能にする。支持体７と接着媒体８との接着には粘着剤８ａを図７の如く介在させることができる。また本考案は吊り下げ物を外した後、次の使用時まではミクロ吸盤、６ｂ、６ｈを図１１、の如く折り畳んで剥離物面４ｂ〜４ｆに吸着させ、あるいは図１２の如くミクロ吸盤同士を吸着させ外気からミクロ吸盤を保護し吸着力の劣化を防止するよう工夫したものである。ミクロ吸盤面は図５、図９に示す如くミクロ吸盤面６ｂ、６ｈが空気に長時間晒されるとミクロ吸盤面は微妙に変化して吸着力が減少するからである。【００１５】ミクロ吸盤ラベルホルダー３は図１３に見る如くカレンダー等の薄くて幅広い吊り下げ物の固定も可能となる。図１３は図５、図８のミクロ吸盤ラベルホルダーを中央部点線１０より切断して左右２個に分断させ、一方のミクロ吸盤ホルダー３ｅ，３ｄを使って図１３の如くカレンダーを壁面に固定した断面拡大図である。カレンダーの重さに耐え、壁面からの脱落を防止するには、カレンダーに接触するミクロ吸盤６の面積、壁に接触する粘着剤８ａの接着面積、を剥離物４、あるいは背面剥離物８の面積増減で制御する。【００１６】以上、本考案は吊り下げ物１の重量に耐えられる支持体７の一方の面に、吊り下げ物の側面に吸着するミクロ吸盤６と、剥離物４と、をこの順に具備したミクロ吸盤ラベル２を、吊り下げ物の形状、重量、目的に合わせて、最適の形状に切断し、切断されたミクロ吸盤ラベルの剥離物４に複数の平行な抜き刃を入れ、抜き刃を入れた剥離物４の支持体の他の一方の面の最適の位置に、壁面に接着する接着媒体８と、背面剥離紙９と、をこの順に具備したミクロ吸盤ラベルホルダー３である。本考案のミクロ吸盤ラベルホルダー３の使用方法は任意の位置に抜き刃を入れた剥離物４を、あるいは背面剥離物９、を剥がすことによって顔を出すミクロ吸盤の吸着面積を増減させて吸着力を制御、あるいは被着体２０に対する接着力を制御する方法を取る。更に被着体２０との接着を強固にする方法として接着媒体べろ１３を補完する方法を取る。
ここまで添削した
【実施例１】
【００１７】表面にかわいい犬が印刷された１００μ厚ポリエステルフイルム支持体７の裏面に１００μ厚ミクロ吸盤６が形成され、３０μ厚のポリエチレンフイルム剥離物４からなる総厚２３０μのミクロ吸盤ラベルを４０ｍｍ×２１０ｍｍの長方形に切断し、図４の如くポリエチレンフイルム剥離物４にカッターで５ａ〜５ｈの抜き刃を入れた。次に犬が印刷されている支持体面の中央部に両面粘着テープ（東洋インキ製  ダブルフェース）を接着媒体８（粘着剤８ａ）として図４の如く張り合わせ、その上から背面剥離物９を被覆して４０ｍｍ×２１０ｍｍのミクロ吸盤ラベルホルダー３を作成した。両面粘着テープで被覆された部分の犬の模様は消えたが、図１ａの如く、かわいい犬のマークはミクロ吸盤ラベルホルダー３のシンボルとして残ることになる。次に４ｂ、４ｈ部分のポリエチレンフイルム剥離物４を剥がして、図５の如く指で４ｃ〜４ｇの部分のポリエチレンフイルムを指で押し付け、壁面に接着両面粘着テープからなる媒体８（８ａ）を介して貼り付け固定した後、図９、図１０の如く、重さ２６０ｇのティッシュペーパーボックの側面１ｂ、１ｈにミクロ吸盤面６ｂ、６ｈを吸着固定する。ティッシュペーパーボックスの重さは軽いもので２００ｇから枚数のある重いもので４００ｇに渡るが、２６０ｇの重さの場合、４０ｍｍ×２１０ｍｍのミクロ吸盤ラベルホルダー３はティッシュペーパーボックスの両端に二個設置した。脱落もなく使用時のティッシュペーパーの抜き取りにも十分耐えられるものであった。ティッシュペーパーボックスの固定方向には利便性の点から，縦に設置した図１ａ、横に設置した図１ｂがあるが、ミクロ吸盤ラベルホルダー３の固定の仕方には側面着け図２ａ，上面着け図２ｂ、の方法がある。何れの方法も脱落なくティッシュペーパーの抜き取り使用時にも十分耐えられるものであった。またかわいい犬のデザインが側面に出ることから無地と比較してデザイン性を高めた。ティッシュペーパーボックスの交換時には図７の４ｉ部分を掴んで剥がしてミクロ吸盤ホルダーからティッシュペーパーボックスを外すことが出来た。
【実施例２】
【００１８】表面に可愛い猫が印刷された１００μ厚の両面グロスコート紙（王子製紙ＰＯＤ）の印刷面に１００μ厚透明ポリエステルフイルムに粘着剤を介して貼り合わせた複合支持体７と、その裏面に形成された厚さ１００μのミクロ吸盤６と、６０μ厚のポリエチレンフイルム（剥離物４）からなる総厚３６０μのミクロ吸盤ラベル２を６０ｍｍ×３１０ｍｍの長方形に切断し、図８の如く剥離物４に５ｂから５ｇのほぼ平行な抜き刃を入れた。次に可愛い猫の印刷が透視できる前記１００μ透明ポリエステルフイルム面（支持体７）に、３０μポリエチレンフイルム（背面剥離物９）を具備したミクロ吸盤８ｂ（厚さ２００μ）を粘着剤（８ａ）を介して貼り合わせ、図９の如く６０ｍｍ×３１０ｍｍのミクロ吸盤ラベルホルダー３を作成した。粘着剤８ａを介してミクロ吸盤８ｂを貼り合わせた部分の猫の画像は見えないが、他の部分の猫の画像は透視され、ミクロ吸盤ラベルホルダー３のシンボルとなった。次にミクロ吸盤ラベルホルダー３の壁面固定方法について説明する。まず図８の剥離物４の４ａ、４ｇ，部分のポリエチレンフイルムを剥がして、残った４ｂ〜４ｇの部分のポリエチレンフイルムを指先で図５の様に擦る様に押し付けながら、厚さ２００μミクロ吸盤８ｂを冷蔵庫の扉に貼り付け固定した後、図１０の如く、重さ２００ｇのキッチンペーパーボックスの側面１ｂ、１ｈにミクロ吸盤面６ｂ、６ｈを吸着固定させた。６０ｍｍ×３１０ｍｍのミクロ吸盤ラベルホルダー３はキッチンペーパーボックスの中央に図２ｂの如く一個設置した。冷蔵庫の扉に貼り付け固定されたミクロ吸盤ラベルホルダー３はペーパー使用時にも十分耐えられるほど強く固定されていた。キッチンペーパーボックスの交換時には図１ａの如く突き出たミクロ吸盤ラベルのべろ部分３ｃを掴んで剥がして、キッチンペーパーボックスを取り外すことが出来た。取り外した後、図１１の如くミクロ吸盤を内側に折り畳んで外気を遮断して次の使用に構えた。
【実施例３】
【００１９】厚さ１００μポリエステルフイルム支持体７と、その裏面に形成された厚さ１００μのミクロ吸盤６と、３０μ厚のポリエチレンフイルム剥離物４と、からなる総厚２３０μのミクロ吸盤ラベルを３０ｍｍ×２１０ｍｍの長方形に切断し、図４の如くポリエチレンフイルム剥離物４に５ａ〜５ｈの抜き刃を入れた。次にかわいい犬が印刷されている支持体面に、背面剥離物９を具備した粘着剤（東洋インキ製  ダブルフェース）８ａを図４の如くほぼ中央に貼り合わせて、４０ｍｍ×２１０ｍｍのミクロ吸盤ラベルホルダー３を作成した。次に剥離物４の４ｂ、４ｈ部分のポリエチフイルムを剥がして、図５の如く指で４ｃ〜４ｇの部分のポリエチレンフイルムを押し付けながら微細凹凸のある壁面に両面テープ接着媒体８を介して張り付け固定した後、図１１、図１２の如く、ミクロ吸盤ラベルホルダー３を折り畳んだ後、図１１、の中央部点線１０に沿って切断して左右２個のミクロ吸盤ラベルホルダー３に分けた左半分３ｄ（あるいは右半分３ｅ）を一度被着体（壁面）から剥がして、再度カレンダーの幅に合わせて被着体に接着固定させ、コート紙からなるカレンダー１１を図１２のミクロ吸盤に挟まれた空間１２に挿入したところ、ミクロ吸盤とコート紙はよく密着してカレンダー１１を図１６の如く壁に吊るすことができた。また図１２の中心線に沿って分断したミクロ吸盤ラベルホルダー３ｄ（あるいは右半分３ｅ）にコート紙に印刷された一枚のカレンダー１１も同様に、ミクロ吸盤に挟まれた空間１２に挿入してカレンダー幅に合わせて被着体２０（壁面）に接着固定させ吊るしたところ、図１４の断面図の如くミクロ吸盤６と表面平滑なコート紙とはよく密着して、一枚からなるカレンダーを壁に吊るすことができた。
【実施例４】
【００２０】図１０の如く１３０μ厚の合成紙（ユポＳＧＳ）支持体７に５００μ厚マグネットシート８ｃを粘着剤８ａを介して貼り合わせた複合支持体７と、その裏面に形成された厚さ１００μのミクロ吸盤６と、６０μ厚のポリエチレンフイルム（剥離物４）からなる総厚６６０μｍａマグネット付ミクロ吸盤ラベル２を６０ｍｍ×３１０ｍｍの長方形に切断し、６０ｍｍ×３１０ｍｍのミクロ吸盤ラベルホルダー３を作成した。次にミクロ吸盤ラベルホルダー３の壁面固定方法について説明する。マグネットシート８ｃを冷蔵庫の扉に貼り付け固定した後、図１０の如く、重さ２００ｇのキッチンペーパーボックスの側面１ｂ、１ｈにミクロ吸盤面６ｂ、６ｈを吸着固定させた。ミクロ吸盤ラベルホルダー３はキッチンペーパーボックスの中央に図２ｂの如く一個設置した。冷蔵庫の扉に貼り付け固定されたマグネット付ミクロ吸盤ラベルホルダー３はペーパー使用時にも十分耐えられるほど強く固定されていた。キッチンペーパーボックスの交換時には複合支持体７を掴んで剥がして、キッチンペーパーボックスを取り外すことが出来た。
【図面の簡単な説明】
【００２１】
【図１ａ】、吊り下げ物１をミクロ吸盤ラベルホルダー３ａで被着体２０（壁等）に固定するに、ミクロ吸盤ラベルホルダー３ａの先端，べろ部分３ｃが吊り下げ物１の側面から飛び出して縦長に固定された斜視図．
【図１ｂ】、吊り下げ物１をミクロ吸盤ラベルホルダー３ａで被着体２０（壁等）に固定するに、ミクロ吸盤ラベルホルダー３ａの先端，べろ部分３ｃが吊り下げ物１の側面から飛び出して横長に固定された斜視図．
【図２ａ】吊り下げ物１をミクロ吸盤ラベルホルダー３で被着体２０（壁等）に固定するに、ミクロ吸盤ラベルホルダー３ｂの先端が吊り下げ物１の側面内に縦長に固定された斜視図
【図２ｂ】吊り下げ物１をミクロ吸盤ラベルホルダー３で被着体２０（壁等）に固定するに、ミクロ吸盤ラベルホルダー３ｂの先端が吊り下げ物１の側面内に横長に固定された斜視図  図３  支持体７、ミクロ吸盤６、剥離物４からなるミクロ吸盤ラベル２の斜視図図４  ミクロ吸盤ラベルホルダー３ｂの斜視図。ミクロ吸盤ラベル２の中央部剥離物に複数の平行な抜き刃５ａ，５ｂ，５ｃ，５ｄ，５ｅ，５ｆ，５ｇ，５ｈを入れ、抜き刃を入れた剥離物４の反対面の支持体に、粘着剤８ａ、背面剥離紙９をこの順に具備したミクロ吸盤ラベルホルダー。
【図５】図４のミクロ吸盤ラベルホルダー３ｂの剥離物４ｂ，４ｈ及び剥離紙９を剥がし、剥離物４ｃ〜４ｇの上から指で被着体１（壁等）を押さえて粘着剤８ａを被着体２０にしっかり接着させている断面図。
【図６】図５のミクロ吸盤ラベルホルダー３ｂの剥離物４ｃ〜４ｇの上に吊り下げ物１を固定する直前の断面図。
【図７】被着体２０（壁等）にミクロ吸盤ラベルホルダー３ｂで吊り下げ物１を固定した断面図。
【図８】ミクロ吸盤ラベルホルダー３ａの断面図。ミクロ吸盤ラベル２の剥離物４に平行な抜き刃５ｂ、５ｃ、５ｄ、５ｅ，５ｆ，５ｇを入れて出来た剥離物４ｃ〜４ｆ間の反対面の支持体７上に、粘着剤８ａ、背面剥離物９をこの順に具備したミクロ吸盤ラベルホルダー３ａ。
【図９】図の如く被着体に接着させたミクロ吸盤ラベルホルダー３ａに吊り下げ物１を固定する直前の断面状態図。図８の４ａ，４ｇ部分の剥離物を除去した断面図。
【図１０】被着体２０（壁等）にミクロ吸盤ラベルホルダー３で吊り下げ物１を固定した断面図。吊り下げ物１の高さよりミクロ吸盤ラベルホルダー３の先端が長く、図１ａの斜視図の如く先端のべろ部分３ｃが飛び出した断面図。
【図１１】図１０の吊り下げ物１を取り外した後、折り畳んだ斜視図
【図１２】吊り下げ物１を取り外した後、剥離物４ｂ，４ｃ，４ｄ，４ｅ，４ｆを取り除いた場合の斜視図。
【図１３】ミクロ吸盤ラベルホルダー３ｄの使い方例の拡大断面図で、吊り下げ物１（例えばカレンダー１１等のごとく）が厚さ薄い場合の使用例。
【図１４】ミクロ吸盤ラベルホルダー３ｆの使い方例の断面図で、吊り下げ物１がカレンダー１１等のごとく厚さが薄い場合。
【図１５】キッチン用アルミホイルの箱を２個のミクロ吸盤ラベルホルダー３ａにて壁に固定した斜視図
【図１６】カレンダーを壁に２個のミクロ吸盤ラベルホルダー３ｄ、３ｅを使って吊り下げた斜視図
【符号の説明】
【００２２】１．吊り下げ物の１ｂ側面、１ｈ側面、１ｅ底面
２．ミクロ吸盤ラベル
３．ミクロ吸盤ラベルホルダー
３ａ．図１０のミクロ吸盤ラベルホルダーで先端べろ部分３ｃを有する。
３ｂ．図７のミクロ吸盤ラベルホルダーで先端べろ部分３ｃを有しない。
３ｃ、ミクロ吸盤ラベルホルダーのべろ部分
３ｄ、図１１、のミクロ吸盤ラベルホルダーの左半分
３ｅ，図１１、のミクロ吸盤ラベルホルダーの右半分
３ｆ  図１２、のミクロ吸盤ラベルホルダーの左半分
４．剥離物  ４ａ，４ｂ，４ｃ，４ｄ，４ｅ，４ｆ，４ｇ，４ｊは抜き刃で切断された個々の剥離物
５．抜き刃  ５ａ，５ｂ，５ｃ，５ｄ，５ｅ，５ｆ，５ｇ，５ｊは抜き刃を入れた位置を示す。
６．ミクロ吸盤  ６ｂ、６ｈは顔を出したミクロ吸盤
７．支持体
８．接着媒体、
８ａ．粘着剤あるいは両面粘着テープ、
８ｂ．ミクロ吸盤
８ｃ．マグネットシート
９．背面剥離物
１０．中央部点線（ミクロ吸盤ラベルホルダー３を３ｄ．３ｅに分割する位置を示す）
１１．カレンダ−
１２．ミクロ吸盤に挟まれた空間（剥離物４を取り除いて発生した空間）
１３．接着媒体べろ
２０  被着体（壁等）
【手続補正３】
【補正対象書類名】図面
【補正対象項目名】全図
【補正方法】変更
【補正の内容】
【図１ａ】
2006292158.tif 000021
【図１ｂ】
2006292158.tif 000022
【図２ａ】
2006292158.tif 000023
【図２ｂ】
2006292158.tif 000024
【図３】
2006292158.tif 000025
【図４】
2006292158.tif 000026
【図５】
2006292158.tif 000027
【図６】
2006292158.tif 000028
【図７】
2006292158.tif 000029
【図８】
2006292158.tif 000030
【図９】
2006292158.tif 000031
【図１０】
2006292158.tif 000032
【図１１】
2006292158.tif 000033
【図１２】
2006292158.tif 000034
【図１３】
2006292158.tif 000035
【図１４】
2006292158.tif 000036
【図１５】
2006292158.tif 000037
【図１６】
2006292158.tif 000038
【手続補正書】
【提出日】平成18年1月24日(2006.1.24)
【手続補正１】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【発明の詳細な説明】
【技術分野】
【０００１】本発明は台所、洗面所、トイレ、その他室内の壁面、冷蔵庫の壁面、タイルの壁面あるいは机の天板下、天井等の水平面に物を吊り下げるに当たって、吊り下げ物を任意に繰り返し固定し、取り外しのできる治具ラベルに関する。吊り下げ物にはティッシュペーパー箱、キッチンペーパー箱、台所ラッピングフイルム箱の如く長方体紙製箱から、樹脂製箱、金属性箱、木製箱から、缶ビール等の円柱状の金属製缶等、の表面が平滑なものを対象とする。
【背景技術】
【０００２】吊り下げ物を壁面に固定するホルダーについては以下の多くの特許が出願されている。その多くがホルダーの固定手段として粘着剤、フック、マグネット、吸盤をホルダーに介在させて吊り下げ物を壁面に固定する方法を提案している。また多くの特許はティシュペーパー箱の壁面固定方法に関するもが多い。しかしながら何れの特許文献も、寸法、大きさが特定された箱型、例えばティシュペーパー箱、等の特定物に関するものである。以下の特許文献には吊り下げ物を壁面に固定する手段として、粘着剤、吸盤、マグネットを介在させた固定方法が多く開示されている。特に吸盤は柔らかい樹脂からなる円状で直径２〜５センチの吸盤を使用するものであって、被着体が粗面であったり、曲面であったり、吸盤の直径より小さい被着体であったりすると使えない欠点を持つ。本発明は直径が５〜１００ミクロンの凹状陥没穴を無数に有する微細なミクロ吸盤、及びゲル状樹脂からなる自己粘着剤、及び微細な球状物質を含む微弱粘着剤を、吊り下げ物の固定の媒体として使う。一方、室内の壁面、冷蔵庫、タイルの壁面、机の天板下の水平面、車両内部面との固定には接着媒体としてミクロ吸盤、粘着剤、マグネットを、固定用に応用するものである。
【特許文献１】特開２００４−２７２２２０７
【特許文献２】特開２００４−２８３５９８
【特許文献３】特開２００３−１１６７４３
【特許文献４】特開２００２−２６３０３１
【特許文献５】特開２００１−０７８９１９
【特許文献６】特開２０００−１０９０９２
【特許文献７】特開平１１−１３７４７５
【特許文献８】特開平９−２４８２３８
【特許文献９】特開平７−１０００８０
【特許文献１０】特開平７−１０００８０
【特許文献１１】特開平６−２１７８９３
【特許文献１２】特許広報平５−８１６１４号
【特許文献１３】登録実用新案第３０８９８７５号
【特許文献１４】登録実用新案第３０５４０８９号
【特許文献１５】登録実用新案第３０４０７５５号
【特許文献１６】登録実用新案第３０３８８８６号
【特許文献１７】登録実用新案第３０３１３１０号
【特許文献１８】登録実用新案第３００２８８０号
【発明の開示】
【発明が解決しようとする課題】
【０００３】発明が解決しようとする課題は、台所、洗面所、トイレ、その他室内の壁面、冷蔵庫の壁面、タイルの壁面あるいは机の天板下面、乗用車の天井面等の水平面に吊り下げ物を固定するに当って、繰り返し固定し、簡単に取り外しのできるホルダーの提供である。
【発明が解決する手段】
【０００４】上記目的を達成するためにミクロ吸盤ラベル２を吊り下げ物の固定に応用するものである。ミクロ吸盤とは、特許文献１２に開示されているが、アクリル酸エステル共重合体エマルジョン液に、整泡剤、増粘剤、起泡剤、硬化剤、顔料を一定の割合に混合して、機械的発泡機「オークスミキサー」を通して、加圧空気を送り込み、発泡倍率１．２倍〜３倍（発泡前の単位容積当たりの重量を発泡後の単位容積あたりの重量で除した数値）にして無数の微細気泡を含む泡沫状エマルジョン液をコンマコーターにて支持体上に塗布、乾燥して形成される５０〜１０００μ厚の発泡シートをいう。
【０００５】発泡シートは柔軟で弾性をもち、無数の微細凹状陥没穴を有するミクロ吸盤はその径より大きな径を持つ内部の気泡に連続し、該内部の気泡は他の気泡と細径管にて連続した構造を有する吸着性発泡シートである。塗布後のミクロ吸盤面上の凹状陥没穴は必ずしも真円ではなく、凹状陥没穴の長径は１００ミクロン以下で、平均的には５〜７０ミクロンの凹状陥没穴が個数で９５％を占め、単位面積あたり１〜９万個／ｃｍ２が形成されている。この微細で柔軟な凹状陥没穴が陰圧吸着力を発揮し、通気性のない平滑面であればどんなものでも良く吸着する。吸着力とは凹状陥没穴が被着体表面に圧着されると、凹状陥没穴と被着体表面によって形成される密閉空間が減圧状態となることにより発生する吸引力である。以上のように支持体７の上に塗工形成されたミクロ吸盤６は平滑面を有する被着体に対して繰り返し貼り付け・剥離が容易に出来る一方、吸着した平滑面に対して非常に高いせん断保持力を有する特性を持つ。一方、ミクロ吸盤面は長時間空気に晒すと、表面が微妙に変化して、吸着力が減少する難点を持つ。
【０００６】本発明は繰り返し脱着可能な吸着力と、高い保持力を有するミクロ吸盤を、吊り下げ物の固定に応用したミクロ吸盤ラベルホルダー３（３ａ，３ｂ、）に関する。
ミクロ吸盤ラベルホルダー３は吊り下げ物１の側面に吸着機能を持つミクロ吸盤ラベル２と、ミクロ吸盤ラベル２を壁面に接着固定させる接着媒体８からなる。ミクロ吸盤は表面平滑な、樹脂版、樹脂フイルム、コート紙、板紙、金属板、塗装された木製板、大理石面、タイルに良く吸着する。ミクロ吸盤は加圧して陰圧吸着が保たれる被着体に対して繰り返し貼り付け・剥離ができる一方、非常に高い保持力を有する。またミクロ吸盤は粘着剤の如くベトつくことも無く、被着体に糊残りを発生させることも無く、表面が汚れて吸着力が衰えても、水洗いすることによって吸着力が再生する特性を持つ。このミクロ吸盤の特性を吊り下げ物のホルダーに応用したのが本考案である。自己粘着ラベルホルダー、微弱粘着ラベルホルダーも前記ミクロ吸盤と類似機能を持つ。自己粘着ラベルの代表はフィックスフイルム（フジコピアン（株）製品の商標）である。支持体に３０μ程度のゲル状樹脂を極均一に塗布したラベルでガラス、アクリル板、キャストコート紙等の平滑面に対して接着する。樹脂はシリコーン樹脂、ポリオレフィン樹脂からなり適度な弾性と平滑面に対する良い濡れ性を持った透明な樹脂層である。微弱粘着ラベルの代表はポストイット（３Ｍ（株）商標）である。微弱粘着層は内部に直径１０μ以下の球状ゼラチンを含ませ、適度な弾性を保有した粘着剤である。
【発明の効果】
【０００７】本考案のミクロ吸盤ラベルホルダーを使用することにより、吊り下げ物の表面が平滑であるという制限は付くが、任意の大きさの吊り下げ物をその形状、重量に合わせて壁等の垂直面、天井面に吊り下げることができる。また容易に着、脱が可能であり繰り返し使える利点は大きくティシュペーパボックス、キッチンペーパーボックス、食品のラッピングフィルムボックス、カレンダー、ポスター、缶ビール、缶ジュース等を壁面、壁紙面、ガラス面、塗装木製板、板紙、タイル面、プラスティック面、鉄板塗装面、天然石面、冷蔵庫面、タイル面に固定し、着脱を繰り返すことが出来る。
【０００８】上記目的を達成するために図３の如く支持体７の一方の面に、ミクロ吸盤６と、剥離物４と、をこの順に具備したミクロ吸盤ラベル２を任意の形状に切断し、切断されたミクロ吸盤ラベル２の剥離物に複数の平行な抜き刃５ａ〜５ｈを入れ、抜き刃５ｂ〜５ｇを入れた中央部剥離物４ｃ〜４ｇの背面の支持体７に、粘着剤８ａ、背面剥離紙９をこの順に具備した図４のミクロ吸盤ラベルホルダー３である。ミクロ吸盤ラベル２の平面形状は図３の如く長方形であるが、任意の形状に切断し、円形、菱形、楕円、特別にデザインされた形状であっても良い。
【０００９】ミクロ吸盤ラベル２は図３のごとく支持体７、ミクロ吸盤６、剥離物４からなる。支持体７はミクロ吸盤６との密着性、接着性に優れ、適当に剛直な樹脂フイルム、例えば厚さ５０μ〜３００μの、ポリエステルフイルム、合成紙、硬質塩ビフイルム、アルミシート、厚紙類が良い。これらの支持体の表面には印刷が施されていても良い。あるいはこれらの支持体には粘着剤を介して印刷物を保護すべく透明粘着フイルムがオーバーラミされた複合支持体であっても良い。支持体は、図７の如く吊り下げ物の側面に沿って曲がる適当な厚さと、適度な可とう性、適度な剛直性は、吊り下げ物の形状、自重によって選ばれるのは言うまでもない。ミクロ吸盤ラベルホルダー３の使用される場所、に合わせて適宜支持体は選択される。
【００１０】ミクロ吸盤６は前述した通り吊り下げ物１の側面に吸着し、簡単に剥がれる機能を持つ。本考案に使用させるミクロ吸盤６の厚さは５０μ〜１０００μが適当である。５０μ以下になると急激に吸着力が減少する。１０００μ以上に厚くしても吸着力の増加は少なくむしろ経済的負荷が大きくなるだけである。ミクロ吸盤６は非常に柔らかいフォームシート状で支持体に接着されていて、吊り下げ物の重さに耐えなければならない。このことからも支持体は適度な硬さ剛性が必要になる。ミクロ吸盤を支持体によく接着させるには、アクリル酸エステル共重合体エマルジョンと良く接着する支持体を選ぶのが良い。例えばポリエステルフイルム、ウレタンフイルム、合成紙、塩ビフイルムがある。一方、接着性のよくない支持体、例えば紙類、ポリオレフィンフイルムに対しては粘着剤を介してミクロ吸盤を支持体に接着させるのが良い。
【００１１】剥離物４の働きは、ミクロ吸盤面を保護してゴミ付着を防止し、また外気に長時間晒されることによる吸着力減少を防止する働きを持つ。剥離物４はミクロ吸盤６の吸着力によってミクロ吸盤の面に密着被覆されているが、容易に手剥がしが可能な表面平滑な２０ミクロンから１００ミクロン厚の樹脂フイルム、たとえばポリエステルフイルム、ポリエチレンフイルム、ポリプロピレンフイルム、あるいは表面平滑な剥離紙、例えば紙の両面にポリエチレン樹脂を熔融押し出し塗布した片面ポリラミ紙、両面ポリラミ紙、グラシン紙が良い。さらにこれらの表面にシリコーン等の剥離処理したものであれば更に良い。剥離物４の表面は平滑であることが必須であり、剥離物（例えば樹脂フイルム等）の平滑面はミクロ吸盤面に密着しているために、結果的にミクロ吸盤面の平滑性を決め、更にはミクロ吸盤の吸着力を決めることになるからである。
【発明を実施するための最良の形態】
【００１２】図１ａ，図１ｂ、図２ａ，図２ｂの如く吊り下げ物１はミクロ吸盤ラベルホルダー３ａ，３ｂ，によって被着体（壁面）２０に固定される機構を説明する。まず図４における剥離物４ｂ、４ｈを剥がして顔を出したミクロ吸盤面６ｂ，６ｈを吊り下げ物１の側面１ｂ，１ｈ、あるいは底面１ｅに圧着することで吸着力を働かせ吊り下げ物１は図７、図１０の如く固定される。
本考案は吊下げ物１のミクロ吸盤６面に対する吸着力を制御して着脱する方法として吊り下げ物１とミクロ吸盤６との吸着面積を増減させる方法を取る。図４の如く剥離物４を貫通する平行な抜き刃を入れ、４ａから４ｉの剥離物を任意に剥離して顔を出したミクロ吸盤６と吊り下げ物１の側面との吸着面積の増減を図り吊り下げ物１に対するミクロ吸盤６の吸着力を増減させる。例えば吊り下げ物１との吸着力を増大させるには４ａ〜４ｉの９枚全部の剥離物を剥ぎ取って吊り下げ物１の側面との吸着面積を増大させて、より強固に吸着させることが出来る。吊り下げ物１との吸着力を減少させるには４ａ〜４ｉの９枚の剥離物のうち４枚を任意に剥ぎ取って吊り下げ物１の側面に吸着させると、吸着面積は半減して、吊り下げ物１を固定する吸着力も半減する。【００１３】支持体１の反対面、つまりミクロ吸盤６の形成されていない他の一方の面には接着媒体８、例えば、粘着剤８ａ、ミクロ吸盤８ｂ、マグネットシート８ｃ等を具備させることによって、壁の垂直面、天井、車内の水平面にミクロ吸盤ラベルホルダー３を固定することが出来る。粘着剤８ａにあっては支持体１の反対面、つまりミクロ吸盤６の形成されていない他の一方の面に粘着剤８ａ、背面剥離物９をこの順に具備したミクロ吸盤ラベルホルダー３であって、粘着剤８ａの末端は支持体に接着せず図７の如く接着媒体べろ１３が形成されても良い。背面剥離物９を剥がして顔を出した粘着剤８ａにて室内の壁面、壁紙面、ガラス面、木製板、板紙、タイル面、プラスティック面、鉄板塗装面、天然石等に容易にミクロ吸盤ラベルホルダー３を接着固定させることが出来る。粘着剤８ａは中芯が樹脂フイルム、和紙からなる両面粘着テープでも良い。背面剥離物９には剥離物４と同様に複数の抜き刃をいれ、任意の枚数の剥離物を手剥がしすることで顔を出した粘着剤８ａの接着面積を変動させ、吊り下げ物の形状、重量にあわせてミクロ吸盤ラベルホルダー３の壁面に対する接着力を制御することが出来る。背面剥離物９はシリコーン樹脂等の剥離剤が塗布されたものが良い。
前記の粘着剤８ａの代わりにミクロ吸盤８ｂを代替使用することもできる。支持体７と、つまりミクロ吸盤８ｂ、と、背面剥離物９と、をこの順に具備したミクロ吸盤ラベルホルダー３では、被着体１はミクロ吸盤８ｂの吸着する表面平滑な被着体に制限されるが、背面剥離物９には、剥離物４と同様に複数の抜き刃をいれ、任意の枚数の剥離物を手剥がしすることで顔を出したミクロ吸盤の吸着面積を変動させ、表面平滑な、ガラス面、壁紙面、塗装木製板、タイル面、プラスティック面、鉄板塗装面、天然石、に吊り下げ物を固定することが出来る。ミクロ吸盤８ｂはポリエステルフイルムを中芯をもつ両面ミクロ吸盤であっても良い。ミクロ吸盤８ｂは被着体２０に糊を残さず、容易に繰り返し貼って剥がせる特徴を持つ。前記の粘着剤８ａの代わりに支持体７と、マグネットシート８ｃとを、この順に粘着剤、あるいは接着剤を介して具備したマグネット付ミクロ吸盤ラベルホルダー３では、被着体２０は鉄、冷蔵庫鉄板塗装面に制限されるが、これも良い接着媒体８である。このように接着媒体８として粘着剤、ミクロ吸盤、マグネットシートをミクロ吸盤ラベル２に組み合わせることでミクロ吸盤ラベルホルダー３の利便性をさらに広げることが出来る。【００１４】図５は剥離物４ｂ，４ｈを剥がしたミクロ吸盤ラベルホルダー３ｂを被着体２０に固定した断面図である。剥離物４ｃ〜４ｇを残すことによって、その上から指で押さえても指を汚さず、粘着剤８ａを強く押し付けてミクロ吸盤ラベルホルダーを被着体２０に固定することが出来る。特に凹凸のある壁面に固定する場合には効果がある。次に図６の如く剥離物４ｂ，４ｈを剥がして顔を出したミクロ吸盤面６ｂ、６ｈを吊り下げ物１の側面１ｂ，１ｈに吸着させる、図６の如く例えばティシュボックスをほぼ中央になるように置いて、ティッシュボックスの底面１ｅ、が剥離物４ｃ〜４ｇの上になるように設置した後、ミクロ吸盤ラベルホルダー３の両端を９０度に折り曲げティッシュホルダーの側面１ｂ，１ｈにミクロ吸盤６ｂ、６ｈを吸着させる。さらに支持体７を指で加圧するとミクロ吸盤６ｂ、６ｈが、ティッシュホルダーの側面１ｂ，１ｈにさらに強く吸着し、吊り下げ物は固定される。ティッシュボックスの重さは約３００グラム、キッチンペーパーボックスは約２００グラムであるが、ミクロ吸盤ラベルホルダー３の大きさ、あるいは剥離物４、背面剥離物９を剥がして顔を出すミクロ吸盤６、あるいは接着媒体９の面積を増減させることで吸着面から脱落を防止することも、被着体２０の壁面から脱落を防止することも出来る。さらに重量のある吊り下げ物１の場合、その重さに応じて剥離物４ｃ〜４ｇを任意の枚数剥がしてミクロ吸盤と、吊り下げ物の側面１ｂ，１ｈと、底面１ｅとの吸着面責を増大させることにより脱落防止できる。図１ａ，図１ｂ、は図１０の如く吊り下げ物（例えばティッシュボックス）をミクロ吸盤ラベルのべろ部分３ｃを出して固定した場合の斜視図である。図２ａ，図２ｂは図７の如く吊り下げ物（例えばティッシュボックス）を固定した場合の斜視図であるが、図２ａ，図２ｂはミクロ吸盤ラベルホルダーの両先端はティッシュボックスの側面１ｂ，１ｈ内に止まり、図１の如く両先端べろ部分３ｃが側面から突き出していない。一旦固定した吊り下げ物（ティッシュペーパ−ボックス）１をミクロ吸盤ラベルホルダー３から外すに、側面１ｂ、１ｈに吸着したミクロ吸盤６ｂ，６ｈを手剥がしするに当たって、ミクロ吸盤ホルダーの両先端に剥離物４ａ、４ｉを残すことで、その部分を図７の如く隆起させ、剥す場合に、指の爪が食い込み安くしたものである。特に剥離物４ａ、４ｉはティッシュホルダー側面には接着してないことから簡単に口を開け、剥離物に指の爪が引っかかり易くして、吊り下げ物をホルダーから容易に外すのに役立つのである。図１ａ，図１ｂは図１０の如くミクロ吸盤ラベルホルダーの両先端べろ部分３ｃを側面１ｂ，１ｈより３ｍｍ〜１０ｍｍ長くして頭が突き出る程度に長くすることで掴み易くして、吊り下げ物１の側面１ｂ、１ｈに吸着したミクロ吸盤６ｂ，６ｈを容易に剥がせるようにしたものである。
さらに図６、図７の如く粘着剤８ａの長さをティッシュボックスの底面１ｅより長くして接着媒体べろ１３を出すことにより、より強固な固定を可能にする。支持体７と接着媒体８との接着には粘着剤８ａを図７の如く介在させることができる。また本考案は吊り下げ物を外した後、次の使用時まではミクロ吸盤、６ｂ、６ｈを図１１、の如く折り畳んで剥離物面４ｂ〜４ｆに吸着させ、あるいは図１２の如くミクロ吸盤同士を吸着させ外気からミクロ吸盤を保護し吸着力の劣化を防止するよう工夫したものである。ミクロ吸盤面は図５、図９に示す如くミクロ吸盤面６ｂ、６ｈが空気に長時間晒されるとミクロ吸盤面は微妙に変化して吸着力が減少するからである。【００１５】ミクロ吸盤ラベルホルダー３は図１３に見る如くカレンダー等の薄くて幅広い吊り下げ物の固定も可能となる。図１３は図５、図８のミクロ吸盤ラベルホルダーを中央部点線１０より切断して左右２個に分断させ、一方のミクロ吸盤ホルダー３ｅ，３ｄを使って図１３の如くカレンダーを壁面に固定した断面拡大図である。カレンダーの重さに耐え、壁面からの脱落を防止するには、カレンダーに接触するミクロ吸盤６の面積、壁に接触する粘着剤８ａの接着面積、を剥離物４、あるいは背面剥離物８の面積増減で制御する。【００１６】以上、本考案は吊り下げ物１の重量に耐えられる支持体７の一方の面に、吊り下げ物の側面に吸着するミクロ吸盤６と、剥離物４と、をこの順に具備したミクロ吸盤ラベル２を、吊り下げ物の形状、重量、目的に合わせて、最適の形状に切断し、切断されたミクロ吸盤ラベルの剥離物４に複数の平行な抜き刃を入れ、抜き刃を入れた剥離物４の支持体の他の一方の面の最適の位置に、壁面に接着する接着媒体８と、背面剥離紙９と、をこの順に具備したミクロ吸盤ラベルホルダー３である。本考案のミクロ吸盤ラベルホルダー３の使用方法は任意の位置に抜き刃を入れた剥離物４を、あるいは背面剥離物９、を剥がすことによって顔を出すミクロ吸盤の吸着面積を増減させて吸着力を制御、あるいは被着体２０に対する接着力を制御する方法を取る。更に被着体２０との接着を強固にする方法として接着媒体べろ１３を補完する方法を取る。
ここまで添削した
【実施例１】
【００１７】表面にかわいい犬が印刷された１００μ厚ポリエステルフイルム支持体７の裏面に１００μ厚ミクロ吸盤６が形成され、３０μ厚のポリエチレンフイルム剥離物４からなる総厚２３０μのミクロ吸盤ラベルを４０ｍｍ×２１０ｍｍの長方形に切断し、図４の如くポリエチレンフイルム剥離物４にカッターで５ａ〜５ｈの抜き刃を入れた。次に犬が印刷されている支持体面の中央部に両面粘着テープ（東洋インキ製  ダブルフェース）を接着媒体８（粘着剤８ａ）として図４の如く張り合わせ、その上から背面剥離物９を被覆して４０ｍｍ×２１０ｍｍのミクロ吸盤ラベルホルダー３を作成した。両面粘着テープで被覆された部分の犬の模様は消えたが、図１ａの如く、かわいい犬のマークはミクロ吸盤ラベルホルダー３のシンボルとして残ることになる。次に４ｂ、４ｈ部分のポリエチレンフイルム剥離物４を剥がして、図５の如く指で４ｃ〜４ｇの部分のポリエチレンフイルムを指で押し付け、壁面に接着両面粘着テープからなる媒体８（８ａ）を介して貼り付け固定した後、図９、図１０の如く、重さ２６０ｇのティッシュペーパーボックの側面１ｂ、１ｈにミクロ吸盤面６ｂ、６ｈを吸着固定する。ティッシュペーパーボックスの重さは軽いもので２００ｇから枚数のある重いもので４００ｇに渡るが、２６０ｇの重さの場合、４０ｍｍ×２１０ｍｍのミクロ吸盤ラベルホルダー３はティッシュペーパーボックスの両端に二個設置した。脱落もなく使用時のティッシュペーパーの抜き取りにも十分耐えられるものであった。ティッシュペーパーボックスの固定方向には利便性の点から，縦に設置した図１ａ、横に設置した図１ｂがあるが、ミクロ吸盤ラベルホルダー３の固定の仕方には側面着け図２ａ，上面着け図２ｂ、の方法がある。何れの方法も脱落なくティッシュペーパーの抜き取り使用時にも十分耐えられるものであった。またかわいい犬のデザインが側面に出ることから無地と比較してデザイン性を高めた。ティッシュペーパーボックスの交換時には図７の４ｉ部分を掴んで剥がしてミクロ吸盤ホルダーからティッシュペーパーボックスを外すことが出来た。
【実施例２】
【００１８】表面に可愛い猫が印刷された１００μ厚の両面グロスコート紙（王子製紙ＰＯＤ）の印刷面に１００μ厚透明ポリエステルフイルムに粘着剤を介して貼り合わせた複合支持体７と、その裏面に形成された厚さ１００μのミクロ吸盤６と、６０μ厚のポリエチレンフイルム（剥離物４）からなる総厚３６０μのミクロ吸盤ラベル２を６０ｍｍ×３１０ｍｍの長方形に切断し、図８の如く剥離物４に５ｂから５ｇのほぼ平行な抜き刃を入れた。次に可愛い猫の印刷が透視できる前記１００μ透明ポリエステルフイルム面（支持体７）に、３０μポリエチレンフイルム（背面剥離物９）を具備したミクロ吸盤８ｂ（厚さ２００μ）を粘着剤（８ａ）を介して貼り合わせ、図９の如く６０ｍｍ×３１０ｍｍのミクロ吸盤ラベルホルダー３を作成した。粘着剤８ａを介してミクロ吸盤８ｂを貼り合わせた部分の猫の画像は見えないが、他の部分の猫の画像は透視され、ミクロ吸盤ラベルホルダー３のシンボルとなった。次にミクロ吸盤ラベルホルダー３の壁面固定方法について説明する。まず図８の剥離物４の４ａ、４ｇ，部分のポリエチレンフイルムを剥がして、残った４ｂ〜４ｇの部分のポリエチレンフイルムを指先で図５の様に擦る様に押し付けながら、厚さ２００μミクロ吸盤８ｂを冷蔵庫の扉に貼り付け固定した後、図１０の如く、重さ２００ｇのキッチンペーパーボックスの側面１ｂ、１ｈにミクロ吸盤面６ｂ、６ｈを吸着固定させた。６０ｍｍ×３１０ｍｍのミクロ吸盤ラベルホルダー３はキッチンペーパーボックスの中央に図２ｂの如く一個設置した。冷蔵庫の扉に貼り付け固定されたミクロ吸盤ラベルホルダー３はペーパー使用時にも十分耐えられるほど強く固定されていた。キッチンペーパーボックスの交換時には図１ａの如く突き出たミクロ吸盤ラベルのべろ部分３ｃを掴んで剥がして、キッチンペーパーボックスを取り外すことが出来た。取り外した後、図１１の如くミクロ吸盤を内側に折り畳んで外気を遮断して次の使用に構えた。
【実施例３】
【００１９】厚さ１００μポリエステルフイルム支持体７と、その裏面に形成された厚さ１００μのミクロ吸盤６と、３０μ厚のポリエチレンフイルム剥離物４と、からなる総厚２３０μのミクロ吸盤ラベルを３０ｍｍ×２１０ｍｍの長方形に切断し、図４の如くポリエチレンフイルム剥離物４に５ａ〜５ｈの抜き刃を入れた。次にかわいい犬が印刷されている支持体面に、背面剥離物９を具備した粘着剤（東洋インキ製  ダブルフェース）８ａを図４の如くほぼ中央に貼り合わせて、４０ｍｍ×２１０ｍｍのミクロ吸盤ラベルホルダー３を作成した。次に剥離物４の４ｂ、４ｈ部分のポリエチフイルムを剥がして、図５の如く指で４ｃ〜４ｇの部分のポリエチレンフイルムを押し付けながら微細凹凸のある壁面に両面テープ接着媒体８を介して張り付け固定した後、図１１、図１２の如く、ミクロ吸盤ラベルホルダー３を折り畳んだ後、図１１、の中央部点線１０に沿って切断して左右２個のミクロ吸盤ラベルホルダー３に分けた左半分３ｄ（あるいは右半分３ｅ）を一度被着体（壁面）から剥がして、再度カレンダーの幅に合わせて被着体に接着固定させ、コート紙からなるカレンダー１１を図１２のミクロ吸盤に挟まれた空間１２に挿入したところ、ミクロ吸盤とコート紙はよく密着してカレンダー１１を図１６の如く壁に吊るすことができた。また図１２の中心線に沿って分断したミクロ吸盤ラベルホルダー３ｄ（あるいは右半分３ｅ）にコート紙に印刷された一枚のカレンダー１１も同様に、ミクロ吸盤に挟まれた空間１２に挿入してカレンダー幅に合わせて被着体２０（壁面）に接着固定させ吊るしたところ、図１４の断面図の如くミクロ吸盤６と表面平滑なコート紙とはよく密着して、一枚からなるカレンダーを壁に吊るすことができた。
【実施例４】
【００２０】図１０の如く１３０μ厚の合成紙（ユポＳＧＳ）支持体７に５００μ厚マグネットシート８ｃを粘着剤８ａを介して貼り合わせた複合支持体７と、その裏面に形成された厚さ１００μのミクロ吸盤６と、６０μ厚のポリエチレンフイルム（剥離物４）からなる総厚６６０μｍａマグネット付ミクロ吸盤ラベル２を６０ｍｍ×３１０ｍｍの長方形に切断し、６０ｍｍ×３１０ｍｍのミクロ吸盤ラベルホルダー３を作成した。次にミクロ吸盤ラベルホルダー３の壁面固定方法について説明する。マグネットシート８ｃを冷蔵庫の扉に貼り付け固定した後、図１０の如く、重さ２００ｇのキッチンペーパーボックスの側面１ｂ、１ｈにミクロ吸盤面６ｂ、６ｈを吸着固定させた。ミクロ吸盤ラベルホルダー３はキッチンペーパーボックスの中央に図２ｂの如く一個設置した。冷蔵庫の扉に貼り付け固定されたマグネット付ミクロ吸盤ラベルホルダー３はペーパー使用時にも十分耐えられるほど強く固定されていた。キッチンペーパーボックスの交換時には複合支持体７を掴んで剥がして、キッチンペーパーボックスを取り外すことが出来た。
【図面の簡単な説明】
【００２１】
【図１ａ】、吊り下げ物１をミクロ吸盤ラベルホルダー３ａで被着体２０（壁等）に固定するに、ミクロ吸盤ラベルホルダー３ａの先端，べろ部分３ｃが吊り下げ物１の側面から飛び出して縦長に固定された斜視図．
【図１ｂ】、吊り下げ物１をミクロ吸盤ラベルホルダー３ａで被着体２０（壁等）に固定するに、ミクロ吸盤ラベルホルダー３ａの先端，べろ部分３ｃが吊り下げ物１の側面から飛び出して横長に固定された斜視図．
【図２ａ】吊り下げ物１をミクロ吸盤ラベルホルダー３で被着体２０（壁等）に固定するに、ミクロ吸盤ラベルホルダー３ｂの先端が吊り下げ物１の側面内に縦長に固定された斜視図
【図２ｂ】吊り下げ物１をミクロ吸盤ラベルホルダー３で被着体２０（壁等）に固定するに、ミクロ吸盤ラベルホルダー３ｂの先端が吊り下げ物１の側面内に横長に固定された斜視図
【図３】支持体７、ミクロ吸盤６、剥離物４からなるミクロ吸盤ラベル２の斜視図
【図４】ミクロ吸盤ラベルホルダー３ｂの斜視図。ミクロ吸盤ラベル２の中央部剥離物に複数の平行な抜き刃５ａ，５ｂ，５ｃ，５ｄ，５ｅ，５ｆ，５ｇ，５ｈを入れ、抜き刃を入れた剥離物４の反対面の支持体に、粘着剤８ａ、背面剥離紙９をこの順に具備したミクロ吸盤ラベルホルダー。
【図５】図４のミクロ吸盤ラベルホルダー３ｂの剥離物４ｂ，４ｈ及び剥離紙９を剥がし、剥離物４ｃ〜４ｇの上から指で被着体１（壁等）を押さえて粘着剤８ａを被着体２０にしっかり接着させている断面図。
【図６】図５のミクロ吸盤ラベルホルダー３ｂの剥離物４ｃ〜４ｇの上に吊り下げ物１を固定する直前の断面図。
【図７】被着体２０（壁等）にミクロ吸盤ラベルホルダー３ｂで吊り下げ物１を固定した断面図。
【図８】ミクロ吸盤ラベルホルダー３ａの断面図。ミクロ吸盤ラベル２の剥離物４に平行な抜き刃５ｂ、５ｃ、５ｄ、５ｅ，５ｆ，５ｇを入れて出来た剥離物４ｃ〜４ｆ間の反対面の支持体７上に、粘着剤８ａ、背面剥離物９をこの順に具備したミクロ吸盤ラベルホルダー３ａ。
【図９】図の如く被着体に接着させたミクロ吸盤ラベルホルダー３ａに吊り下げ物１を固定する直前の断面状態図。図８の４ａ，４ｇ部分の剥離物を除去した断面図。
【図１０】被着体２０（壁等）にミクロ吸盤ラベルホルダー３で吊り下げ物１を固定した断面図。吊り下げ物１の高さよりミクロ吸盤ラベルホルダー３の先端が長く、図１ａの斜視図の如く先端のべろ部分３ｃが飛び出した断面図。
【図１１】図１０の吊り下げ物１を取り外した後、折り畳んだ斜視図
【図１２】吊り下げ物１を取り外した後、剥離物４ｂ，４ｃ，４ｄ，４ｅ，４ｆを取り除いた場合の斜視図。
【図１３】ミクロ吸盤ラベルホルダー３ｄの使い方例の拡大断面図で、吊り下げ物１（例えばカレンダー１１等のごとく）が厚さ薄い場合の使用例。
【図１４】ミクロ吸盤ラベルホルダー３ｆの使い方例の断面図で、吊り下げ物１がカレンダー１１等のごとく厚さが薄い場合。
【図１５】キッチン用アルミホイルの箱を２個のミクロ吸盤ラベルホルダー３ａにて壁に固定した斜視図
【図１６】カレンダーを壁に２個のミクロ吸盤ラベルホルダー３ｄ、３ｅを使って吊り下げた斜視図
【符号の説明】
【００２２】１．吊り下げ物の１ｂ側面、１ｈ側面、１ｅ底面
２．ミクロ吸盤ラベル
３．ミクロ吸盤ラベルホルダー
３ａ．図１０のミクロ吸盤ラベルホルダーで先端べろ部分３ｃを有する。
３ｂ．図７のミクロ吸盤ラベルホルダーで先端べろ部分３ｃを有しない。
３ｃ、ミクロ吸盤ラベルホルダーのべろ部分
３ｄ、図１１、のミクロ吸盤ラベルホルダーの左半分
３ｅ，図１１、のミクロ吸盤ラベルホルダーの右半分
３ｆ  図１２、のミクロ吸盤ラベルホルダーの左半分
４．剥離物  ４ａ，４ｂ，４ｃ，４ｄ，４ｅ，４ｆ，４ｇ，４ｊは抜き刃で切断された個々の剥離物
５．抜き刃  ５ａ，５ｂ，５ｃ，５ｄ，５ｅ，５ｆ，５ｇ，５ｊは抜き刃を入れた位置を示す。
６．ミクロ吸盤  ６ｂ、６ｈは顔を出したミクロ吸盤
７．支持体
８．接着媒体、
８ａ．粘着剤あるいは両面粘着テープ、
８ｂ．ミクロ吸盤
８ｃ．マグネットシート
９．背面剥離物
１０．中央部点線（ミクロ吸盤ラベルホルダー３を３ｄ．３ｅに分割する位置を示す）
１１．カレンダー
１２．ミクロ吸盤に挟まれた空間（剥離物４を取り除いて発生した空間）
１３．接着媒体べろ
２０被着体（壁等）